(57)【要約】  デバイスツーデバイス（Ｄ２Ｄ）通信のためのユーザ機器（ＵＥ）及び方法の実施例が、本明細書において一般的に説明される。いくつかの実施例において、ＵＥは、進化型ノードＢからの第１同期信号（ＰＳＳ）の受信に基づいて、ネットワーク基準タイミングを判定することが可能である。ＵＥは、判定されたネットワーク基準タイミングにより第２のＵＥに第１デバイスツーデバイス同期信号（ＰＤ２ＤＳＳ）を送信することが可能である。ＰＤ２ＤＳＳは、ＵＥと第２のＵＥとの間のデバイスツーデバイス（Ｄ２Ｄ）通信セッションに関する同期を可能にするように構成され得る。いくつかの実施例において、ＰＤ２ＤＳＳは、ＰＳＳのために使用されるＰＳＳシンボルシーケンスとは異なり得る複数のＰＤ２ＤＳＳシンボルシーケンスに基づくことが可能である。いくつかの実施例において、ＰＤ２ＤＳＳの場合とＰＳＳの場合とで、異なるＺａｄｏｆｆ−Ｃｈｕ（ＺＣ）シーケンスが使用されることが可能である。
2017535121.tif 000002
【特許請求の範囲】
【請求項１】
ユーザ機器（ＵＥ）のための装置であって、当該装置が、トランシーバ回路と、ハードウェア処理回路とを備え、前記ハードウェア処理回路は、前記トランシーバ回路を、
ネットワークにおいて動作するように構成された進化型ノードＢ（ｅＮＢ）から、１つ又は複数のＰＳＳシンボルシーケンスに基づく第１同期信号（ＰＳＳ）を受信し、そして
第２のＵＥに、前記ＵＥと前記第２のＵＥとの間のデバイスツーデバイス（Ｄ２Ｄ）通信セッションに関する第１デバイスツーデバイス同期信号（ＰＤ２ＤＳＳ）を送信する、ように設定し、
前記ＰＤ２ＤＳＳは、１つ又は複数のＰＤ２ＤＳＳシンボルシーケンスに基づき、かつ
前記ＰＤ２ＤＳＳは、前記ＰＳＳの前記受信に少なくとも部分的に基づくネットワーク基準タイミングにより送信される、装置。
【請求項２】
前記ＰＤ２ＤＳＳは、第１のＰＤ２ＤＳＳシンボルシーケンスのフーリエ変換（ＦＴ）に基づく第１のＰＤ２ＤＳＳ部分を含み、第２のＰＤ２ＤＳＳシンボルシーケンスのＦＴに基づく第２のＰＤ２ＤＳＳ部分を更に含む、請求項１に記載の装置。
【請求項３】
第１のＰＤ２ＤＳＳ部分と第２のＰＤ２ＤＳＳ部分に関する伝送時間は、所定の時間差だけ分離される、請求項２に記載の装置。
【請求項４】
前記ＰＳＳは、同一のＰＳＳシンボルシーケンスのＦＴに基づく第１のＰＳＳ部分及び第２のＰＳＳ部分を含む、請求項２に記載の装置。
【請求項５】
前記ＰＳＳは、第１のＰＳＳシンボルシーケンスのＦＴに基づく第１のＰＳＳ部分と、第２のＰＳＳシンボルシーケンスのＦＴに基づく第２のＰＳＳ部分とを含む、請求項２に記載の装置。
【請求項６】
前記第１のＰＤ２ＤＳＳシンボルシーケンスは、第１のＰＤ２ＤＳＳ  Ｚａｄｏｆｆ−Ｃｈｕ（ＺＣ）インデックスに基づく第１のＰＤ２ＤＳＳ  ＺＣシーケンスを含み、かつ
前記第２のＰＤ２ＤＳＳシンボルシーケンスは、第２のＰＤ２ＤＳＳ  ＺＣインデックスに基づく第２のＰＤ２ＤＳＳ  ＺＣシーケンスを含む、請求項２に記載の装置。
【請求項７】
前記ＰＳＳは、ＰＳＳシンボルシーケンスのＦＴに基づく第１のＰＳＳ部分及び第２のＰＳＳ部分を含み、
前記ＰＳＳシンボルシーケンスは、ＰＳＳ  ＺＣインデックスに基づくＰＳＳ  ＺＣシーケンスを含み、かつ
前記ＰＳＳ  ＺＣインデックスと前記第１のＰＤ２ＤＳＳ  ＺＣインデックスと前記第２のＰＤ２ＤＳＳ  ＺＣインデックスとは異なる、請求項６に記載の装置。
【請求項８】
前記ＰＤ２ＤＳＳは、リソース要素（ＲＥ）のグループを含むチャネルリソースにおいて送信され、
前記第１のＰＤ２ＤＳＳ  ＺＣシーケンスは、前記第１のＰＤ２ＤＳＳシーケンスの前記ＦＴのために、所定のマッピングにより、前記ＲＥの少なくとも一部分にマッピングされ、かつ
前記第２のＰＤ２ＤＳＳ  ＺＣシーケンスは、前記第２のＰＤ２ＤＳＳシーケンスの前記ＦＴのために、前記所定のマッピングにより、前記ＲＥにマッピングされる、請求項６に記載の装置。
【請求項９】
前記第１のＰＤ２ＤＳＳ  ＺＣインデックス及び前記第２のＰＤ２ＤＳＳ  ＺＣインデックスは、少なくとも４０ｋＨｚの周波数オフセット範囲における前記第１のＰＤ２ＤＳＳ  ＺＣシーケンス及び前記第２のＰＤ２ＤＳＳ  ＺＣシーケンスに関する不確定性関数に少なくとも部分的に基づいて、前記第１のＰＤ２ＤＳＳ  ＺＣシーケンス及び前記第２のＰＤ２ＤＳＳ  ＺＣシーケンスでの使用のために選択される、請求項６に記載の装置。
【請求項１０】
前記第１のＰＤ２ＤＳＳシンボルシーケンスは、第１のＰＤ２ＤＳＳ  Ｚａｄｏｆｆ−Ｃｈｕ（ＺＣ）インデックスに基づく第１のＰＤ２ＤＳＳ  ＺＣシーケンスを含み、かつ
前記第２のＰＤ２ＤＳＳシンボルシーケンスは、第１のＰＤ２ＤＳＳ  ＺＣシーケンスの複素共役に基づく第２のＰＤ２ＤＳＳ  ＺＣシーケンスを含む、請求項２に記載の装置。
【請求項１１】
前記Ｄ２Ｄ通信セッションがカバレッジ内Ｄ２Ｄ通信セッションである場合、
前記ＰＤ２ＤＳＳは、前記ネットワーク基準タイミングにより送信され、かつ
前記ＰＤ２ＤＳＳは、第１のＰＤ２ＤＳＳであり、
前記Ｄ２Ｄ通信セッションがカバレッジ外Ｄ２Ｄ通信セッションである場合、
前記ＰＤ２ＤＳＳは、前記ネットワーク基準タイミングとは非同期で送信され、かつ
前記ＰＤ２ＤＳＳは、第２のＰＤ２ＤＳＳであり、
前記ＰＤ２ＤＳＳは、前記ＰＤ２ＤＳＳが前記第１のＰＤ２ＤＳＳであるか、又は前記第２のＰＤ２ＤＳＳであるかの標識を含む、請求項１に記載の装置。
【請求項１２】
前記第１のＰＤ２ＤＳＳの第１の部分は、第１のＺａｄｏｆｆ−Ｃｈｕ（ＺＣ）シーケンスのフーリエ変換（ＦＴ）に基づき、
前記第１のＰＤ２ＤＳＳの第２の部分は、第２のＺＣシーケンスのＦＴに基づき、
前記第２のＰＤ２ＤＳＳの第１の部分は、前記第１のＰＤ２ＤＳＳの前記第１の部分の複素共役を含み、
前記第２のＰＤ２ＤＳＳの第２の部分は、前記第１のＰＤ２ＤＳＳの前記第２の部分の複素共役を含む、請求項１１に記載の装置。
【請求項１３】
前記ＰＤ２ＤＳＳの前記送信は、前記第２のＵＥが前記Ｄ２Ｄ通信セッションに関するＤ２Ｄ周波数同期を判定することを可能にするように構成される、請求項１に記載の装置。
【請求項１４】
前記ハードウェア処理回路は、前記トランシーバ回路を、前記第２のＵＥに前記Ｄ２Ｄ通信セッションの一部分としてデータ信号を送信するように更に設定する、請求項１に記載の装置。
【請求項１５】
前記データ信号は、前記ＵＥに対するネットワークカバレッジが利用できない場合、前記第２のＵＥに送信される、請求項１４に記載の装置。
【請求項１６】
前記ＵＥ及び前記ｅＮＢは、第３世代パートナーシッププロジェクト（３ＧＰＰ）ロングタームエボリューション（ＬＴＥ）プロトコルにより動作するように構成される、請求項１に記載の装置。
【請求項１７】
当該装置が、
前記ＰＳＳの前記受信のため、及び前記ＰＤ２ＤＳＳの前記送信のために前記トランシーバ回路に結合された１つ又は複数のアンテナを更に含む、請求項１に記載の装置。
【請求項１８】
ユーザ機器（ＵＥ）による通信のための動作を実行する１つ又は複数のプロセッサによる実行のための命令を含むコンピュータプログラムであって、前記動作は、前記１つ又は複数のプロセッサを、
第２のＵＥから、前記第２のＵＥとのデバイスツーデバイス（Ｄ２Ｄ）通信に関する第１デバイスツーデバイス同期信号（ＰＤ２ＤＳＳ）を受信し、
第１のＰＤ２ＤＳＳ部分に関する第１の偏相関、及び第２のＰＤ２ＤＳＳ部分に関する第２の偏相関に基づいて、前記ＵＥと前記第２のＵＥとの間のＤ２Ｄ周波数オフセットを判定し、そして
前記の判定されたＤ２Ｄ周波数オフセットにより前記第２のＵＥにＤ２Ｄデータ信号を送信する、ように設定し、
前記ＰＤ２ＤＳＳの前記受信、及び前記Ｄ２Ｄデータ信号の前記送信は、ＵＥ間のＤ２Ｄ通信のために予約されたＤ２Ｄチャネルリソースにおいて実行される、コンピュータプログラム。
【請求項１９】
前記第１のＰＤ２ＤＳＳ部分は、第１のＰＤ２ＤＳＳ  Ｚａｄｏｆｆ−Ｃｈｕ（ＺＣ）シーケンスを含む第１のＰＤ２ＤＳＳシンボルシーケンスのフーリエ変換（ＦＴ）に基づき、かつ
前記第２のＰＤ２ＤＳＳ部分は、第２のＰＤ２ＤＳＳ  Ｚａｄｏｆｆ−Ｃｈｕ（ＺＣ）シーケンスを含む第２のＰＤ２ＤＳＳシンボルシーケンスのＦＴに基づく、請求項１８に記載のコンピュータプログラム。
【請求項２０】
前記第２のＰＤ２ＤＳＳ  Ｚａｄｏｆｆ−Ｃｈｕ（ＺＣ）シーケンスは、前記第１のＰＤ２ＤＳＳ  Ｚａｄｏｆｆ−Ｃｈｕ（ＺＣ）シーケンスの複素共役に基づく、請求項１９に記載のコンピュータプログラム。
【請求項２１】
前記ＰＤ２ＤＳＳは、Ｄ２Ｄ通信のために予約されたＤ２Ｄリソース要素（ＲＥ）のグループを含むチャネルリソースにおいて受信され、
前記第１のＰＤ２ＤＳＳ  ＺＣシーケンスは、前記第１のＰＤ２ＤＳＳシーケンスの前記ＦＴのために、所定のマッピングにより、前記Ｄ２Ｄ  ＲＥの少なくとも一部分にマッピングされ、かつ
前記第２のＰＤ２ＤＳＳ  ＺＣシーケンスは、前記第２のＰＤ２ＤＳＳシーケンスの前記ＦＴのために、前記所定のマッピングにより、前記Ｄ２Ｄ  ＲＥにマッピングされる、請求項１９に記載のコンピュータプログラム。
【請求項２２】
前記第１のＺＣシーケンスは、前記ＰＤ２ＤＳＳの直交周波数分割多重化（ＯＦＤＭ）巡回プレフィックスに対する前記第１の偏相関のタイミング許容差に少なくとも部分的に基づいて、前記第１のＰＤ２ＤＳＳ部分での使用のために選択される、請求項１９に記載のコンピュータプログラム。
【請求項２３】
前記第１の偏相関は、前記ＰＤ２ＤＳＳの前記受信に関するＤ２Ｄタイミングを判定するために使用され、かつ
前記第２の偏相関は、前記Ｄ２Ｄ周波数オフセットを判定するために使用される、請求項２２に記載のコンピュータプログラム。
【請求項２４】
前記タイミング許容差は、前記ＵＥと前記第２のＵＥとの間の周波数オフセットの少なくとも４０ｋＨｚ範囲に関して判定される、請求項２２に記載のコンピュータプログラム。
【請求項２５】
前記動作は、前記１つ又は複数のプロセッサを、
ネットワークにおいて動作するように構成された進化型ノードＢ（ｅＮＢ）から第１同期信号（ＰＳＳ）を受信し、
前記ＰＳＳの前記受信に基づいて前記ｅＮＢと前記ＵＥとの間のネットワーク内周波数オフセットを判定し、
前記の判定されたネットワーク内周波数オフセットにより前記ｅＮＢにネットワーク内データ信号を送信するように更に設定し、
前記ＰＳＳの前記受信、及び前記ネットワーク内データ信号の前記送信は、前記Ｄ２Ｄチャネルリソースに専用のネットワークチャネルリソースにおいて実行される、請求項１８に記載のコンピュータプログラム。
【請求項２６】
前記第１のＰＤ２ＤＳＳ部分は、第１のＰＤ２ＤＳＳ  Ｚａｄｏｆｆ−Ｃｈｕ（ＺＣ）シーケンスに基づき、
前記第２のＰＤ２ＤＳＳ部分は、第２のＰＤ２ＤＳＳ  ＺＣシーケンスに基づき、かつ
前記ＰＳＳは、第３のＰＤ２ＤＳＳ  ＺＣシーケンスに基づく第１の部分及び第２の部分を含む、請求項２５に記載のコンピュータプログラム。
【請求項２７】
前記Ｄ２Ｄチャネルリソースは、前記ネットワークによって、ＵＥ間の前記Ｄ２Ｄ通信のために予約される、請求項２５に記載のコンピュータプログラム。
【請求項２８】
進化型ノードＢ（ｅＮＢ）のための装置であって、当該装置が、トランシーバ回路と、ハードウェア処理回路とを備え、前記ハードウェア処理回路は、前記トランシーバ回路を、
１つ又は複数のユーザ機器（ＵＥ）によるネットワーク基準タイミングに対する同期を可能にする第１同期信号（ＰＳＳ）を送信し、そして
前記ネットワーク基準タイミングにより前記ＵＥのうちの１つにデータ信号を送信する、ように設定し、
前記ＰＳＳは、第１のＰＳＳシンボルシーケンスのフーリエ変換（ＦＴ）に基づく第１のＰＳＳ部分を含み、第２のＰＳＳシンボルシーケンスのＦＴに基づく第２のＰＳＳ部分を更に含み、かつ
前記第１のＰＳＳ部分と前記第２のＰＳＳ部分に関する伝送時間は、所定の時間差だけ分離される、装置。
【請求項２９】
前記第１のＰＳＳシンボルシーケンスは、第１のＰＳＳ  Ｚａｄｏｆｆ−Ｃｈｕ（ＺＣ）インデックスに基づく第１のＰＳＳ  ＺＣシーケンスを含み、かつ
前記第２のＰＳＳシンボルシーケンスは、第２のＰＳＳ  ＺＣインデックスに基づく第２のＰＳＳ  ＺＣシーケンスを含む、請求項２８に記載の装置。
【請求項３０】
前記第２のＰＳＳ  ＺＣシーケンスは、前記第１のＰＳＳ  ＺＣシーケンスの複素共役に基づく、請求項２９に記載の装置。
【請求項３１】
請求項１８から請求項２７のいずれか一項に記載のコンピュータプログラムを記憶したコンピュータ読み取り可能な記憶媒体。
【発明の詳細な説明】
【技術分野】
【０００１】
優先権の主張
本出願は、２０１４年９月２５日に出願された米国仮特許出願第６２／０５５，５８６号に対する優先権を主張するとともに、それは、参照により全体が本明細書に組み込まれている。
【０００２】
技術分野
実施例は、ワイヤレス通信に関する。いくつかの実施例は、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）ネットワーク、３ＧＰＰ  ＬＴＥ（Ｌｏｎｇ  Ｔｅｒｍ  Ｅｖｏｌｕｔｉｏｎ）ネットワーク、及び３ＧＰＰ  ＬＴＥ−Ａ（ＬＴＥ  Ａｄｖａｎｃｅｄ）ネットワークを含むワイヤレスネットワークに関し、ただし、実施例の範囲は、この点に限定されない。いくつかの実施例は、デバイスツーデバイス（Ｄ２Ｄ）通信に関する。いくつかの実施例は、Ｄ２Ｄ通信のための同期に関する。
【背景技術】
【０００３】
ワイヤレスネットワークが、モバイルデバイスとの通信をサポートすることが可能である。いくつかの事例において、モバイルデバイスに関するデータスループットの要求が、高いことがあり、ネットワークに関する利用可能なシステムスループットを超えることさえあり得る。一例として、ネットワークは、互いに比較的近接して位置するモバイルデバイスをサポートすることが可能であり、それらのいくつかは、ネットワークを介して互いにデータを交換することがある。ネットワークは、サポートされるモバイルデバイスの数が大きくなる場合などのいくつかの事例において、輻輳するか、又は過負荷になることがあり得る。いくつかの事例において、モバイルデバイスがネットワークカバレッジを失うことがあり得る。したがって、これら、及びその他のシナリオにおいてモバイルデバイスに対する通信を可能にする方法及びシステムが一般に求められている。
【図面の簡単な説明】
【０００４】
【図１】いくつかの実施例による３ＧＰＰネットワークの機能図である。
【図２】いくつかの実施例によるユーザ機器（ＵＥ）のブロック図である。
【図３】いくつかの実施例による進化型ノードＢ（ｅＮＢ）のブロック図である。
【図４】いくつかの実施例による、ＵＥが、ｅＮＢと通信状態にあること、及び互いに通信状態にあることが可能なシナリオの一例を例示する。
【図５】いくつかの実施例によるデバイスツーデバイス（Ｄ２Ｄ）通信の方法の動作を例示する。
【図６】いくつかの実施例による、直交周波数分割多重化（ＯＦＤＭ）構成の一例、及びシングルキャリア周波数分割多重化（ＳＣ−ＦＤＭ）構成の一例を例示する。
【図７】いくつかの実施例による、同期信号に対する時間リソースの割り当ての一例を例示する。
【図８】いくつかの実施例による同期信号の一例を例示する。
【発明を実施するための形態】
【０００５】
下記の説明、及び図面は、特定の実施例を、当業者がそれらを実施するのを可能にするように十分に説明する。他の実施例は、構造的変更、論理的変更、電気的変更、プロセス変更、及びその他の変更を組み込むことが可能である。いくつかの実施例の部分及び特徴は、他の実施例の部分及び特徴に含まれること、又は代用されることが可能である。請求項に記載される実施例は、それらの請求項の利用可能なすべての均等形態を包含する。
【０００６】
図１は、いくつかの実施例による３ＧＰＰネットワークの機能図である。ネットワークは、Ｓ１インタフェース１１５を介して一緒に結合された無線アクセスネットワーク（ＲＡＮ）（例えば、図示されるとおり、Ｅ−ＵＴＲＡＮ若しくは進化型汎用地上無線アクセスネットワーク）１００及びコアネットワーク１２０（例えば、進化型パケットコア（ＥＰＣ）として示される）を備える。利便性と簡潔さのために、コアネットワーク１２０の一部分だけ、並びにＲＡＮ１００が示される。
【０００７】
コアネットワーク１２０は、モビリティ管理エンティティ（ＭＭＥ）１１２と、サービングゲートウェイ（ｓｅｒｖｉｎｇ  ＧＷ）１２４と、パケットデータネットワークゲートウェイ（ＰＤＮ  ＧＷ）１２６とを含む。ＲＡＮ１００は、ユーザ機器（ＵＥ）１０２と通信するための進化型ノードＢ（ｅＮＢ）１０４（基地局として動作することが可能な）を含む。ｅＮＢ１０４は、マクロｅＮＢと、低電力（ＬＰ）ｅＮＢとを含み得る。いくつかの実施例によれば、ＵＥ１０２は、ｅＮＢ１０４から、１つ又は複数のＰＳＳシンボルシーケンスに基づく第１同期信号（ＰＳＳ）を受信することが可能である。ＵＥ１０２は、第２のＵＥ１０２に、ＵＥ１０２と第２のＵＥ１０２との間のデバイスツーデバイス（Ｄ２Ｄ）通信セッションのための第１デバイスツーデバイス同期信号（ＰＤ２ＤＳＳ）を送信することが可能である。これらの実施例は、下記でより詳細に説明される。
【０００８】
ＭＭＥ１２２は、レガシーサービングＧＰＲＳサポートノード（ＳＧＳＮ）の制御プレーンと機能的に類似している。ＭＭＥ１２２は、ゲートウェイ選択及びトラッキングエリアリスト管理などのアクセスにおけるモビリティ態様を管理する。サービングＧＷ１２４は、ＲＡＮ１００に向けてのインタフェースを終端するとともに、ＲＡＮ１００とコアネットワーク１２０との間でデータパケットをルーティングする。更に、サービングＧＷ１２４は、ｅＮＢ間ハンドオーバのためのローカルモビリティアンカーポイントであることが可能であり、３ＧＰＰ間モビリティのためのアンカーを提供することも可能である。他の責任は、合法的傍受、課金、及びいくらかのポリシー執行を含み得る。サービングＧＷ１２４とＭＭＥ１２２は、１つの物理ノードにおいて実施されても、又は別々の物理ノードにおいて実施されてもよい。ＰＤＮ  ＧＷ１２６は、パケットデータネットワーク（ＰＤＮ）に向けてのＳＧｉインタフェースを終端する。ＰＤＮ  ＧＷ１２６は、ＥＰＣ１２０と外部ＰＤＮとの間でデータパケットをルーティングするとともに、ポリシー執行及び課金データ収集のための重要なノードであり得る。また、ＰＤＮ  ＧＷ１２６は、モビリティのためのアンカーポイントに非ＬＴＥアクセスを提供することも可能である。外部ＰＤＮは、任意の種類のＩＰネットワークであり得るとともに、ＩＰマルチメディアサブシステム（ＩＭＳ）ドメインであり得る。ＰＤＮ  ＧＷ１２６とサービングＧＷ１２４は、１つの物理ノードにおいて実施されても、又は別々の物理ノードにおいて実施されてもよい。
【０００９】
ｅＮＢ１０４（マクロ、ミクロ、及びフェムト）は、無線インタフェースプロトコルを終端するとともに、ＵＥ１０２に対する第１の接触ポイントであり得る。いくつかの実施例において、ｅＮＢ１０４は、無線ベアラ管理、アップリンク、ダウンリンク、及びサイドリンク動的無線リソース管理及びデータパケットスケジューリング、並びにモビリティ管理などの、ＲＮＣ（無線ネットワークコントローラ機能）を含むが、それには限定されないＲＡＮ１００に関する様々な論理機能を実現することが可能である。実施例によれば、ＵＥ１０２は、直交周波数分割多元接続（ＯＦＤＭＡ）通信技法により、マルチキャリア通信チャネルを介してｅＮＢ１０４と直交周波数分割多重化（ＯＦＤＭ）通信信号を通信するように構成され得る。ＯＦＤＭ信号は、複数の直交サブキャリアを備えることが可能である。いくつかの実施例において、ＯＦＤＭ通信信号は、ダウンリンク（ｅＮＢ１０４からＵＥ１０２へ）において使用されることが可能であり、シングルキャリア周波数分割多元接続（ＳＣ−ＦＤＭＡ）通信信号は、アップリンク（ＵＥ１０２からｅＮＢ１０４へ）において使用されることが可能である。
【００１０】
Ｓ１インタフェース１１５は、ＲＡＮ１００とＥＰＣ１２０を分離するインタフェースである。Ｓ１インタフェース１１５は、２つの部分、すなわち、ｅＮＢ１０４とサービングＧＷ１２４との間でトラフィックデータを伝送するＳ１−Ｕと、ｅＮＢ１０４とＭＭＥ１２２との間のシグナリングインタフェースであるＳ１−ＭＭＥとに分割される。Ｘ２インタフェースは、ｅＮＢ１０４間のインタフェースである。Ｘ２インタフェースは、２つの部分、Ｘ２−Ｃ及びＸ２−Ｕを備える。Ｘ２−Ｃが、ｅＮＢ１０４間の制御プレーンインタフェースであり、一方、Ｘ２−Ｕは、ｅＮＢ１０４間のユーザプレーンインタフェースである。
【００１１】
セルラネットワークに関して、ＬＰセルは、通常、屋外信号がよく届かない屋内区域にカバレッジを拡張するために、又は鉄道の駅などの非常に密な電話使用を伴う区域においてネットワーク容量を追加するために使用される。本明細書で使用されるように、「低電力（ＬＰ）ｅＮＢ」という用語は、フェムトセル、ピコセル、又はマイクロセルなどのより狭いセル（マクロセルより狭い）を実施するための任意の適切な比較的低電力のｅＮＢのことを指す。フェムトセルｅＮＢは、通常、モバイルネットワーク事業者によって、その住宅顧客又は企業顧客に提供される。フェムトセルは、通常、住宅ゲートウェイのサイズであるか、又はより小さく、一般に、ユーザのブロードバンド回線に接続される。フェムトセルは、プラグ接続された後で、モバイル事業者のモバイルネットワークに接続され、住宅フェムトセルの場合、通常、３０乃至５０メートルの範囲内の追加のカバレッジを提供する。このため、ＬＰ  ｅＮＢは、ＰＤＮ  ＧＷ１２６を介して結合されるので、フェムトセルｅＮＢであり得る。同様に、ピコセルは、建造物内（オフィス、ショッピングモール、鉄道の駅など）、又は更に最近には、航空機内などの小さい区域を通常範囲に含む、ワイヤレス通信システムである。ピコセルｅＮＢは、一般に、Ｘ２リンクを介して、マクロｅＮＢなどの別のｅＮＢに、ピコセルｅＮＢの基地局コントローラ（ＢＳＣ）機能を通じて接続することができる。このため、ＬＰ  ｅＮＢは、ピコセルｅＮＢがＸ２インタフェースを介してマクロｅＮＢに結合されるので、ピコセルｅＮＢを用いて実施され得る。ピコセルｅＮＢ又は他のＬＰ  ｅＮＢは、マクロｅＮＢのいくつかの機能又はすべての機能を組み込むことが可能である。いくつかの事例において、これは、アクセスポイント基地局又は企業フェムトセルと呼ばれ得る。
【００１２】
いくつかの実施例において、ダウンリンクリソースグリッドが、ｅＮＢ１０４からＵＥ１０２へのダウンリンク伝送のために使用されることができ、一方、ＵＥ１０２からｅＮＢ１０４へのアップリンク伝送は、同様の技法を利用することが可能である。グリッドは、各スロット内のダウンリンクにおける物理リソースである、リソースグリッド又は時間−周波数リソースグリッドと呼ばれる時間−周波数グリッドである。そのような時間−周波数プレーン表現は、ＯＦＤＭシステムに関して一般的な慣行であり、このことが、この表現を無線リソース割り当てに関して直観的にする。リソースグリッドの各列及び各行は、それぞれ、１つのＯＦＤＭシンボル及び１つのＯＦＤＭサブキャリアに対応する。時間領域におけるリソースグリッドの持続時間は、無線フレームにおける１つのスロットに対応する。リソースグリッドにおける最小の時間−周波数単位は、リソース要素（ＲＥ）と呼ばれる。各リソースグリッドは、リソース要素に対する特定の物理チャネルのマッピングを記述する複数のリソースブロック（ＲＢ）を備える。各リソースブロックは、周波数領域におけるリソース要素の集まりを備え、現在、割り当てられ得るリソースの最小量を表すことが可能である。そのようなリソースブロックを使用して伝えられるいくつかの異なる物理ダウンリンクチャネルが存在する。本開示に特に関係がある、これらの物理ダウンリンクチャネルのうちの２つが、物理ダウンリンク共有チャネル及び物理ダウンリンク制御チャネルである。
【００１３】
物理ダウンリンク共有チャネル（ＰＤＳＣＨ）は、ユーザデータ及び上位層シグナリングをＵＥ１０２に伝送する（図１）。物理ダウンリンク制御チャネル（ＰＤＣＣＨ）は、とりわけ、ＰＤＳＣＨチャネルと関係するトランスポートフォーマット及びリソース割り当てについての情報を伝送する。また、ＰＤＣＣＨは、アップリンク共有チャネルと関係するトランスポートフォーマット、リソース割り当て、及びハイブリッド自動再送要求（ＨＡＲＱ）情報についてＵＥ１０２に知らせる。通常、ダウンリンクスケジューリング（例えば、セル内のＵＥ１０２に制御チャネルリソースブロック及び共有チャネルリソースブロックを割り当てること）は、ＵＥ１０２からｅＮＢ１０４にフィードバックされるチャネル品質情報に基づいて、ｅＮＢ１０４において実行されることが可能であり、次に、ダウンリンクリソース割り当て情報が、ＵＥ１０２のために使用される（ＵＥに割り当てられた）制御チャネル（ＰＤＣＣＨ）上でＵＥ１０２に送信されることが可能である。
【００１４】
ＰＤＣＣＨは、ＣＣＥ（制御チャネル要素）を使用して制御情報を伝える。リソース要素にマッピングされるのに先立って、ＰＤＣＣＨ複素シンボル（complex-valued  symbols）は、まず、四つ組に編成され、四つ組が、次に、レートマッチングのためにサブブロックインターリーバを使用して置換される。各ＰＤＣＣＨは、これらの制御チャネル要素（ＣＣＥ）のうちの１つ又は複数を使用して伝送され、各ＣＣＥは、リソース要素グループ（ＲＥＧ）として知られる４つの物理リソース要素の９つのセットに対応する。４つのＱＰＳＫシンボルが、各ＲＥＧにマッピングされる。ＰＤＣＣＨは、ＤＣＩのサイズ、及びチャネル状態に依存して、１つ又は複数のＣＣＥを使用して伝送され得る。異なる数のＣＣＥ（例えば、集約レベル、Ｌ＝１、２、４、又は８）を有するＬＴＥにおいて定義された４つ以上の異なるＰＤＣＣＨフォーマットが存在することが可能である。
【００１５】
本明細書で使用されるように、「回路」という用語は、特定用途向け集積回路（ＡＳＩＣ）、電子回路、プロセッサ（共有される、専用の、又はグループの）、及び／又は１つ若しくは複数のソフトウェアプログラム又はファームウェアプログラムを実行するメモリ（共有される、専用の、又はグループの）、組み合わせ論理回路、及び／又は説明される機能を提供する他の適切なハードウェア構成要素のことを指すか、上記の一部であるか、又は上記を含むことが可能である。いくつかの実施例において、回路は、１つ又は複数のソフトウェアモジュール若しくはファームウェアモジュールにおいて実施されることが可能であるか、又は、回路に関連付けられた機能は、１つ又は複数のソフトウェアモジュール若しくはファームウェアモジュールによって実施されることが可能である。いくつかの実施例において、回路は、少なくとも部分的にハードウェアにおいて動作可能なロジックを含み得る。本明細書で説明される実施例は、任意の適切に構成されたハードウェア及び／又はソフトウェアを使用してシステムに実装され得る。
【００１６】
図２は、いくつかの実施例によるユーザ機器（ＵＥ）の機能図である。ＵＥ２００は、図１に示されるとおり、ＵＥ１０２として使用するのに適していることが可能である。いくつかの実施例において、ＵＥ２００は、少なくとも示されるとおり一緒に結合された、アプリケーション回路２０２、ベースバンド回路２０４、無線周波数（ＲＦ）回路２０６、フロントエンドモジュール（ＦＥＭ）回路２０８、及び１つ又は複数のアンテナ２１０を含み得る。いくつかの実施例において、他の回路又は構成が、アプリケーション回路２０２、ベースバンド回路２０４、ＲＦ回路２０６、及び／又はＦＥＭ回路２０８のうちの１つ若しくは複数の要素及び／又は構成要素を含むことが可能であり、いくつかの事例において、他の要素及び／又は構成要素を含むことも可能である。一例として、「処理回路」は、１つ若しくは複数の要素及び／又は構成要素を含むことが可能であり、これらのうちのいくつか、又はすべてが、アプリケーション回路２０２及び／又はベースバンド回路２０４に含まれることが可能である。別の例として、「トランシーバ回路」は、１つ若しくは複数の要素及び／又は構成要素を含むことが可能であり、これらのうちのいくつか、又はすべてが、ＲＦ回路２０６及び／又はＦＥＭ回路２０８に含まれることが可能である。しかしながら、処理回路及び／又はトランシーバ回路は、いくつかの事例において、他の要素及び／又は構成要素を含むことも可能であるので、これらの例は、限定的ではない。
【００１７】
アプリケーション回路２０２は、１つ又は複数のアプリケーションプロセッサを含み得る。例えば、アプリケーション回路２０２は、１つ又は複数のシングルコアプロセッサ若しくはマルチコアプロセッサなどの、ただし上記には限定されない、回路を含み得る。プロセッサは、汎用プロセッサと専用プロセッサ（例えば、グラフィックスプロセッサ、アプリケーションプロセッサなど）の任意の組み合わせを含み得る。プロセッサは、メモリ／ストレージに結合されることが可能であるか、及び／又はメモリ／ストレージを含むことが可能であり、メモリ／ストレージに記憶された命令を実行して、様々なアプリケーション及び／又はオペレーティングシステムがシステム上で実行されることを可能にするように構成され得る。
【００１８】
ベースバンド回路２０４は、１つ又は複数のシングルコアプロセッサ若しくはマルチコアプロセッサなどの、ただし上記には限定されない、回路を含み得る。ベースバンド回路２０４は、１つ若しくは複数のベースバンドプロセッサ及び／又は制御ロジックを含んで、ＲＦ回路２０６の受信信号パスから受信されたベースバンド信号を処理すること、及びＲＦ回路２０６の送信信号パスに対するベースバンド信号を生成することが可能である。ベースバンド処理回路２０４は、ベースバンド信号の生成及び処理のため、並びにＲＦ回路２０６の動作を制御するためにアプリケーション回路２０２とインタフェースをとることが可能である。例えば、いくつかの実施例において、ベースバンド回路２０４は、第２世代（２Ｇ）ベースバンドプロセッサ２０４ａ、第３世代（３Ｇ）ベースバンドプロセッサ２０４ｂ、第４世代（４Ｇ）ベースバンドプロセッサ２０４ｃ、及び／又は既存の世代、開発中の世代、又は将来に開発される世代（例えば、第５世代（５Ｇ）、６Ｇなど）に関する他のベースバンドプロセッサ２０４ｄを含み得る。ベースバンド回路２０４（例えば、ベースバンドプロセッサ２０４ａ〜ｄのうちの１つ又は複数）は、ＲＦ回路２０６を介して１つ又は複数の無線ネットワークとの通信を可能にする様々な無線制御機能を扱うことが可能である。無線制御機能は、信号変調／復調、符号化／復号、無線周波数シフトなどを含み得るが、上記には限定されない。いくつかの実施例において、ベースバンド回路２０４の変調／復調回路は、高速フーリエ変換（ＦＦＴ）機能、プリコーディング機能、及び／又はコンステレーションマッピング／デマッピング機能を含み得る。いくつかの実施例において、ベースバンド回路２０４の符号化／復号回路は、畳み込みエンコーダ／デコーダ機能、テールバイティング畳み込みエンコーダ／デコーダ機能、ターボエンコーダ／デコーダ機能、ビタビエンコーダ／デコーダ機能、及び／又は低密度パリティ検査（ＬＤＰＣ）エンコーダ／デコーダ機能を含み得る。変調／復調及びエンコーダ／デコーダ機能の実施例は、これらの例に限定されず、他の実施例における他の適切な機能を含むことが可能である。
【００１９】
いくつかの実施例において、ベースバンド回路２０４は、例えば、例として、物理（ＰＨＹ）要素、媒体アクセス制御（ＭＡＣ）要素、無線リンク制御（ＲＬＣ）要素、パケットデータコンバージェンスプロトコル（ＰＤＣＰ）要素、及び／又は無線リソース制御（ＲＲＣ）要素を含む進化型汎用地上無線アクセスネットワーク（ＥＵＴＲＡＮ）プロトコルの要素などのプロトコルスタックの要素を含み得る。ベースバンド回路２０４の中央処理装置（ＣＰＵ）２０４ｅが、ＰＨＹ層、ＭＡＣ層、ＲＬＣ層、ＰＤＣＰ層、及び／又はＲＲＣ層のシグナリングのためにプロトコルスタックの要素を実行するように構成され得る。いくつかの実施例において、ベースバンド回路は、１つ又は複数のオーディオデジタル信号プロセッサ（ＤＳＰ）２０４ｆを含み得る。オーディオＤＳＰ２０４ｆは、圧縮／伸張及びエコー除去のための要素を含むことが可能であり、他の実施例において他の適切な処理要素を含むことが可能である。ベースバンド回路の構成要素は、いくつかの実施例において、単一のチップ若しくは単一のチップセットに適切に組み合わされること、又は同一の回路基板上に配置されることが可能である。いくつかの実施例において、ベースバンド回路２０４及びアプリケーション回路２０２を構成する構成要素のいくつか、又はすべては、例えば、システムオンチップ（ＳＯＣ）上などに一緒に実装され得る。
【００２０】
いくつかの実施例において、ベースバンド回路２０４は、１つ又は複数の無線技術と適合する通信をもたらし得る。例えば、いくつかの実施例において、ベースバンド回路２０４は、進化型汎用地上無線アクセスネットワーク（ＥＵＴＲＡＮ）及び／又は他のワイヤレスメトロポリタンエリアネットワーク（ＷＭＡＮ）、ワイヤレスローカルエリアネットワーク（ＷＬＡＮ）、ワイヤレスパーソナルエリアネットワーク（ＷＰＡＮ）との通信をサポートすることが可能である。ベースバンド回路２０４が、複数のワイヤレスプロトコルの無線通信をサポートするように構成された実施例は、マルチモードベースバンド回路と呼ばれ得る。
【００２１】
ＲＦ回路２０６は、非固形媒体を介した変調された電磁放射を使用してワイヤレスネットワークとの通信を可能にし得る。様々な実施例において、ＲＦ回路２０６は、ワイヤレスネットワークとの通信を円滑にするスイッチ、フィルタ、増幅器などを含み得る。ＲＦ回路２０６は、ＦＥＭ回路２０８から受信されたＲＦ信号をダウンコンバートして、ベースバンド回路２０４にベースバンド信号をもたらす回路を含み得る受信信号パスを含むことが可能である。また、ＲＦ回路２０６は、ベースバンド回路２０４によってもたらされるベースバンド信号をアップコンバートして、送信のためにＦＥＭ回路２０８にＲＦ出力信号をもたらす回路を含み得る送信信号パスを含むことも可能である。
【００２２】
いくつかの実施例において、ＲＦ回路２０６は、受信信号パスと、送信信号パスとを含み得る。ＲＦ回路２０６の受信信号パスは、ミキサ回路２０６ａと、増幅器回路２０６ｂと、フィルタ回路２０６ｃとを含み得る。ＲＦ回路２０６の送信信号パスは、フィルタ回路２０６ｃと、ミキサ回路２０６ａとを含み得る。また、ＲＦ回路２０６は、受信信号パス及び送信信号パスのミキサ回路２０６ａによる使用のために周波数を合成するためのシンセサイザ回路２０６ｄを含むことも可能である。いくつかの実施例において、受信信号パスのミキサ回路２０６ａは、シンセサイザ回路２０６ｄによってもたらされる合成された周波数に基づいて、ＦＥＭ回路２０８から受信されたＲＦ信号をダウンコンバートするように構成され得る。増幅器回路２０６ｂは、ダウンコンバートされた信号を増幅するように構成されることが可能であり、フィルタ回路２０６ｃは、ダウンコンバートされた信号から不要な信号を除去して、出力ベースバンド信号を生成するように構成されたローパスフィルタ（ＬＰＦ）又はバンドバスフィルタ（ＢＰＦ）であることが可能である。出力ベースバンド信号は、更なる処理のためにベースバンド回路２０４に与えられることが可能である。いくつかの実施例において、出力ベースバンド信号は、ゼロ周波数ベースバンド信号であることが可能であるが、これは、要件ではない。いくつかの実施例において、受信信号パスのミキサ回路２０６ａは、受動ミキサを備えることが可能であるが、実施例の範囲は、この点に限定されない。いくつかの実施例において、送信信号パスのミキサ回路２０６ａは、シンセサイザ回路２０６ｄによってもたらされる合成された周波数に基づいて入力ベースバンド信号をアップコンバートして、ＦＥＭ回路２０８のためのＲＦ出力信号を生成するように構成され得る。ベースバンド信号は、ベースバンド回路２０４によってもたらされることが可能であり、フィルタ回路２０６ｃによってフィルタリングされることが可能である。フィルタ回路２０６ｃは、ローパスフィルタ（ＬＰＦ）を含み得るが、実施例の範囲は、この点に限定されない。
【００２３】
いくつかの実施例において、受信信号パスのミキサ回路２０６ａ、及び送信信号パスのミキサ回路２０６ａは、２つ以上のミキサを含んでもよく、それぞれ、直交ダウンコンバート及び／又は直交アップコンバートのために構成され得る。いくつかの実施例において、受信信号パスのミキサ回路２０６ａ、及び送信信号パスのミキサ回路２０６ａは、２つ以上のミキサを含んでもよく、イメージ除去（例えば、ハートレーイメージ除去）のために構成され得る。いくつかの実施例において、受信信号パスのミキサ回路２０６ａ、及び送信信号パスのミキサ回路２０６ａは、それぞれ、直接ダウンコンバート及び／又は直接アップコンバートのために構成され得る。いくつかの実施例において、受信信号パスのミキサ回路２０６ａ、及び送信信号パスのミキサ回路２０６ａは、スーパーヘテロダイン動作のために構成され得る。
【００２４】
いくつかの実施例において、出力ベースバンド信号及び入力ベースバンド信号は、アナログベースバンド信号であることが可能であるが、実施例の範囲は、この点に限定されない。いくつかの代替の実施例において、出力ベースバンド信号及び入力ベースバンド信号は、デジタルベースバンド信号であり得る。これらの代替の実施例において、ＲＦ回路２０６は、アナログ−デジタル変換（ＡＤＣ）回路及びデジタル−アナログ変換（ＤＡＣ）回路を含むことが可能であり、ベースバンド回路２０４は、ＲＦ回路２０６と通信するデジタルベースバンドインタフェースを含むことが可能である。いくつかのデュアルモード実施例において、各スペクトルに関して信号を処理するための別々の無線ＩＣ回路が備えられることが可能であるが、実施例の範囲は、この点に限定されない。
【００２５】
いくつかの実施例において、シンセサイザ回路２０６ｄは、フラクショナルＮシンセサイザ又はフラクショナルＮ／Ｎ＋１シンセサイザであることが可能であるが、他のタイプの周波数シンセサイザが適していることがあり得るので、実施例の範囲は、この点に限定されない。例えば、シンセサイザ回路２０６ｄは、デルタ−シグマシンセサイザ、周波数逓倍器、又は周波数分周器を有する位相ロックループを備えるシンセサイザであり得る。シンセサイザ回路２０６ｄは、周波数入力、及び分周器制御入力に基づいて、ＲＦ回路２０６のミキサ回路２０６ａによって使用されるように出力周波数を合成するように構成され得る。いくつかの実施例において、シンセサイザ回路２０６ｄは、フラクショナルＮ／Ｎ＋１シンセサイザであり得る。いくつかの実施例において、周波数入力は、電圧制御発振器（ＶＣＯ）によってもたらされ得るが、これは、要件ではない。分周器制御入力は、所望される出力周波数に依存して、ベースバンド回路２０４又はアプリケーションプロセッサ２０２によってもたらされ得る。いくつかの実施例において、分周器制御入力（例えば、Ｎ）は、アプリケーションプロセッサ２０２によって示されるチャネルに基づいて、ルックアップテーブルから判定され得る。
【００２６】
ＲＦ回路２０６のシンセサイザ回路２０６ｄは、分周器と、遅延ロックループ（ＤＬＬ）と、マルチプレクサと、位相アキュムレータとを含み得る。いくつかの実施例において、分周器は、デュアルモジュラス分周器（ＤＶＤ）であることが可能であり、位相アキュムレータは、デジタル位相アキュムレータ（ＤＰＡ）であることが可能である。いくつかの実施例において、ＤＭＤは、（例えば、キャリーアウトに基づいて）Ｎ又はＮ＋１のいずれかによって入力信号を分周して、分数分周比をもたらすように構成され得る。いくつかの例示的な実施例において、ＤＬＬは、カスケードされた要素、調整可能な要素、遅延要素のセット、位相検出器、チャージポンプ、及びＤタイプフリップフロップを含み得る。これらの実施例において、遅延要素は、ＶＣＯ周期を、等しいＮｄの位相のパケットに細分するように構成されることが可能であり、Ｎｄは、遅延線における遅延要素の数である。このようにして、ＤＬＬは、遅延線を介した全体の遅延が１つのＶＯＣサイクルであることを保証するのに役立つように、負のフィードバックをもたらす。
【００２７】
いくつかの実施例において、シンセサイザ回路２０６ｄは、キャリア周波数を出力周波数として生成するように構成されることができ、一方、他の実施例において、出力周波数は、キャリア周波数の倍数（例えば、キャリア周波数の２倍、キャリア周波数の４倍）であり、かつ直交ジェネレータ及び分周回路と併せて使用されて、互いに異なる複数の位相を有するキャリア周波数における複数の信号を生成することが可能である。いくつかの実施例において、出力周波数は、ＬＯ周波数（ｆＬＯ）であり得る。いくつかの実施例において、ＲＦ回路２０６は、ＩＱ／極性変換器を含み得る。
【００２８】
ＦＥＭ回路２０８は、１つ又は複数のアンテナ２１０から受信されたＲＦ信号を操作し、受信された信号を増幅し、受信された信号の増幅されたバージョンを、更なる処理のためにＲＦ回路２０６に供給するように構成された回路を含み得る受信信号パスを含むことが可能である。また、ＦＥＭ回路２０８は、ＲＦ回路２０６によってもたらされる送信のための信号を、１つ又は複数のアンテナ２１０のうちの１つ又は複数による送信のために増幅するように構成された回路を含み得る送信信号パスを含むことも可能である。
【００２９】
いくつかの実施例において、ＦＥＭ回路２０８は、送信モード動作と受信モード動作との間で切り換えるＴＸ／ＲＸスイッチを含み得る。ＦＥＭ回路は、受信信号パスと、送信信号パスとを含み得る。ＦＥＭ回路の受信信号パスは、受信されたＲＦ信号を増幅して、増幅された受信されたＲＦ信号を出力としてもたらす（例えば、ＲＦ回路２０６に）低ノイズ増幅器（ＬＮＡ）を含み得る。ＦＥＭ回路２０８の送信信号パスは、入力ＲＦ信号（例えば、ＲＦ回路２０６によってもたらされる）を増幅する電力増幅器（ＰＡ）と、後の送信（例えば、１つ又は複数のアンテナ２１０のうちの１つ又は複数による）のためにＲＦ信号を生成する１つ又は複数のフィルタとを含み得る。いくつかの実施例において、ＵＥ２００は、例えば、メモリ／ストレージ、ディスプレイ、カメラ、センサ、及び／又は入出力（Ｉ／Ｏ）インタフェースなどの更なる要素を含み得る。
【００３０】
図３は、いくつかの実施例による進化型ノードＢ（ｅＮＢ）の機能図である。いくつかの実施例において、ｅＮＢ２００は、固定型の非モバイルデバイスであり得ることに留意されたい。ｅＮＢ３００は、図１に示されるｅＮＢ１０４として使用するのに適している可能性がある。ｅＮＢ３００は、物理層回路３０２と、トランシーバ３０５とを含むことが可能であり、これらのうちのいずれか、又は両方が、１つ又は複数のアンテナ３０１を使用して、ＵＥ２００、他のｅＮＢ、他のＵＥ、又は他のデバイスを相手に信号を送受信することを可能にし得る。一例として、物理層回路３０２は、送信のためのベースバンド信号の形成及び受信された信号の復号を含み得る様々な符号化機能及び復号機能を実行することが可能である。別の例として、トランシーバ３０５は、ベースバンド範囲と無線周波数（ＲＦ）範囲との間で信号を変換することなどの様々な送信機能及び受信機能を実行することが可能である。したがって、物理層回路３０２とトランシーバ３０５は、別々の構成要素であってもよいか、又は組み合わされた構成要素の一部であってもよい。更に、信号の送信及び受信と関係する説明される機能の一部は、物理層回路３０２、トランシーバ３０５、及び他の構成要素若しくは層のうちの１つ、いずれか、又はすべてを含み得る組み合わせによって実行されてもよい。また、ｅＮＢ３００は、ワイヤレス媒体へのアクセスを制御するための媒体アクセス制御層（ＭＡＣ）回路３０４を含むことも可能である。また、ｅＮＢ３００は、本明細書で説明される動作を実行するように構成された処理回路３０６及びメモリ３０８を含むことも可能である。また、ｅＮＢ３００は、他のｅＮＢ１０４（図１）、ＥＰＣ１２０（図１）における構成要素、又は他のネットワーク構成要素を含む他の構成要素との通信を可能にし得る１つ又は複数のインタフェース３１０を含むことも可能である。更に、インタフェース３１０は、ネットワークの外部の構成要素を含む、図１に示されない可能性がある他の構成要素との通信を可能にし得る。インタフェース３１０は、有線であっても、無線であっても、有線と無線の組み合わせであってもよい。
【００３１】
アンテナ２１０、３０１は、例えば、ダイポールアンテナ、モノポールアンテナ、パッチアンテナ、ループアンテナ、マイクロストリップアンテナ、又はＲＦ信号の送信に適した他のタイプのアンテナを含む、１つ又は複数の指向性アンテナ若しくは無指向性アンテナを備えることが可能である。いくつかの多入力多出力（ＭＩＭＯ）実施例において、アンテナ２１０、３０１は、空間ダイバーシティ、及びもたらされ得る異なるチャネル特性を活用するように、効果的に分離されてもよい。
【００３２】
いくつかの実施例において、ＵＥ２００又はｅＮＢ３００は、モバイルデバイスであることが可能であり、携帯情報端末（ＰＤＡ）、ワイヤレス通信能力を有するラップトップコンピュータ若しくはポータブルコンピュータ、ウェブタブレット、ワイヤレス電話、スマートフォン、ワイヤレスヘッドセット、ポケットベル、インスタントメッセージングデバイス、デジタルカメラ、アクセスポイント、テレビ、医療デバイス（例えば、心拍モニタ、血圧モニタなど）のようなウェアラブルデバイス、又は情報をワイヤレスで受信及び／若しくは送信することが可能な他のデバイスなどのポータブルワイヤレス通信デバイスであることが可能である。いくつかの実施例において、ＵＥ２００又はｅＮＢ３００は、３ＧＰＰ標準により動作するように構成されることが可能であるが、実施例の範囲は、この点に限定されない。いくつかの実施例におけるモバイルデバイス又は他のデバイスは、ＩＥＥＥ８０２．１１標準又は他のＩＥＥＥ標準を含む他のプロトコル又は標準により動作するように構成され得る。いくつかの実施例において、ＵＥ２００、ｅＮＢ３００、又は他のデバイスは、キーボード、ディスプレイ、不揮発性メモリポート、複数のアンテナ、グラフィックスプロセッサ、アプリケーションプロセッサ、スピーカ、及び他のモバイルデバイス要素のうちの１つ又は複数を含み得る。ディスプレイは、タッチスクリーンを含むＬＣＤスクリーンであることが可能である。
【００３３】
ＵＥ２００及びｅＮＢ３００はそれぞれ、いくつかの別々の機能要素を有するものとして例示されるものの、それらの機能要素のうちの１つ又は複数は、組み合わされてもよく、デジタルシグナルプロセッサ（ＤＳＰ）及び／又は他のハードウェア要素を含む処理要素などのソフトウェアにより構成された要素の組み合わせによって実施されてもよい。例えば、いくつかの要素は、１つ又は複数のマイクロプロセッサ、ＤＳＰ、フィールドプログラマブルゲートアレイ（ＦＰＧＡ）、特定用途向け集積回路（ＡＳＩＣ）、無線周波数集積回路（ＲＦＩＣ）、及び少なくとも、本明細書で説明される機能を実行するための様々なハードウェアと論理回路の組み合わせを備えることが可能である。いくつかの実施例において、機能要素は、１つ又は複数の処理要素上で動作する１つ又は複数のプロセスのことを指してもよい。
【００３４】
実施例は、ハードウェア、ファームウェア、及びソフトウェアのいずれか、又は組み合わせにおいて実施され得る。また、実施例は、本明細書で説明される動作を実行するように少なくとも１つのプロセッサによって読み取られて、実行され得る、コンピュータ可読ストレージデバイス上に記憶された命令として実施されてもよい。コンピュータ可読ストレージデバイスは、マシン（例えば、コンピュータ）によって読み取り可能な形態で情報を記憶するための任意の非一時的機構を含み得る。例えば、コンピュータ可読ストレージデバイスは、読出し専用メモリ（ＲＯＭ）、ランダムアクセスメモリ（ＲＡＭ）、磁気ディスク記憶媒体、光記憶媒体、フラッシュメモリデバイス、及び他のストレージデバイス及び記憶媒体を含み得る。いくつかの実施例は、１つ又は複数のプロセッサを含むことが可能であり、コンピュータ可読ストレージデバイス上に記憶された命令によって設定されることが可能である。
【００３５】
いくつかの実施例において、ＵＥ２００及び／又はｅＮＢ３００によって使用される装置は、図２〜図３に示されるＵＥ２００及び／又はｅＮＢ３００の様々な構成要素を含み得ることに留意されたい。したがって、ＵＥ２００（又は１０２）について述べる本明細書で説明される技法及び動作は、ＵＥに関する装置に適用可能であり得る。更に、ｅＮＢ３００（又は１０４）について述べる本明細書で説明される技法及び動作は、ｅＮＢに関する装置に適用可能であり得る。
【００３６】
実施例によれば、ＵＥ１０２は、ｅＮＢ１０４からの第１同期信号（ＰＳＳ）の受信に基づいて、ネットワーク基準タイミングを判定することが可能である。ＵＥ１０２は、判定されたネットワーク基準タイミングにより、第２のＵＥ１０２に第１デバイスツーデバイス同期信号（ＰＤ２ＤＳＳ）を送信することが可能である。ＰＤ２ＤＳＳは、ＵＥ１０２と第２のＵＥ１０２との間のデバイスツーデバイス（Ｄ２Ｄ）通信セッションに関する同期を可能にするように構成され得る。いくつかの実施例において、ＰＤ２ＤＳＳは、ＰＳＳのために使用されるＰＳＳシンボルシーケンスとは異なり得る、複数のＰＤ２ＤＳＳシンボルシーケンスに基づくことが可能である。いくつかの実施例において、ＰＤ２ＤＳＳの場合とＰＳＳの場合とで、異なるＺａｄｏｆｆ−Ｃｈｕ（ＺＣ）シーケンスが使用されることが可能である。これらの実施例は、下記でより詳細に説明される。
【００３７】
図４は、いくつかの実施例による、ＵＥが、ｅＮＢと通信状態にあること、及び互いに通信状態にあることが可能なシナリオの一例を例示する。図４に示される例示的なシナリオ４００は、本明細書で開示される技法のいくつかの態様を例示し得るものの、実施例は、この例示的なシナリオ４００に限定されないものと理解される。ｅＮＢ４０５は、それぞれ、リンク４３０及び４４０を介してネットワーク内通信セッションの一部分として１つ又は複数のＵＥ４１０、４１５と通信状態にあることが可能である。ｅＮＢ４０５は、ｅＮＢ１０４であることができ、一方、ＵＥ４１０、４１５は、ＵＥ１０２であることが可能であり、そしてネットワーク内通信セッションは、１００などのネットワークを介して行われることが可能である。説明される技法及びシナリオが、例示的なシナリオ４００に示されるｅＮＢ及びＵＥの数又はタイプに限定されることは、任意の適切な数又はタイプが使用され得るので、ない。例えば、ｅＮＢ４０５は、図示されるタワー（tower：塔）構成に限定されない。
【００３８】
ＵＥ４１０、４１５によってサポートされ得るネットワーク内通信セッションに加えて、ＵＥ４１０、４１５、又は他のＵＥの間の直接の通信がサポートされることも可能である。そのような通信は、いくつかの事例において、デバイスツーデバイス（Ｄ２Ｄ）通信と呼ばれ得る。例えば、ＵＥ４１０、４１５の間のＤ２Ｄ通信セッションは、リンク４５０を介して行われ得る。いくつかの実施例において、Ｄ２Ｄ通信セッションは、ＵＥ４１０、４１５と、ｅＮＢ４０５との間で制御メッセージ及び／又は他のメッセージを交換することを介して少なくとも部分的に確立され得る。いくつかの事例において、ネットワーク内通信セッションとＤ２Ｄ通信セッションは、同時に行われることが可能であるが、他の事例においては、排他的に行われ得る。
【００３９】
いくつかの実施例において、時間伝送間隔（ＴＴＩ）又は他の時間周期などの時間リソースが、Ｄ２Ｄ通信のために使用される動作ために予約され得る。更に、１つ又は複数のチャネル、サブチャネル、サブキャリア、リソース要素（ＲＥ）、リソースブロック（ＲＢ）、又は他の周波数単位を含むチャネルリソース（又は周波数リソース）が、いくつかの実施例において予約されることも可能である。一例として、時間リソース及び／又はチャネルリソースが、ＵＥ１０２間でＤ２Ｄ制御メッセージを交換するために１００などのネットワークによって予約され得る。別の例として、時間リソース及び／又はチャネルリソースが、ＵＥ１０２間でデータペイロードメッセージを交換するためにネットワークによって予約され得る。そのようなことの例は、下記で説明される。
【００４０】
一例として、Ｄ２Ｄ送信は、１つ又は複数のデータパケットを送信するために複数のＴＴＩを使用することが可能である。したがって、データパケットは、前方誤り訂正（ＦＥＣ）、スクランブリング、インターリービング、及び／又はビットツーシンボルマッピングを含むが、上記には限定されない任意の数の送信機機能を使用して処理されて、シンボルのグループをもたらすことが可能である。シンボルのグループは、インターリービング、インターレーシング、反復、及び／又はその他などの任意の適切な技法を使用して複数のＴＴＩにマッピングされ得る。更に、そのような技法の組み合わせが、シンボルのグループを複数のＴＴＩにマッピングするために使用されることも可能である。
【００４１】
図５は、いくつかの実施例によるデバイスツーデバイス（Ｄ２Ｄ）通信の方法の動作を例示する。方法５００の実施例は、図５に示されるものと比べて、追加の動作若しくはプロセス、又はより少ない動作若しくはプロセスさえ含み得ることに留意することが重要である。更に、方法５００の実施例は、図５に示される時系列の順序に必ずしも限定されない。方法５００を説明する際、図１〜図４、及び図６〜図８が参照され得るが、方法５００は、他の任意の適切なシステム、インタフェース、及び構成要素を用いて実施され得るものと理解される。
【００４２】
更に、方法５００、及び本明細書で説明される他の方法は、３ＧＰＰ標準又は他の標準により動作するｅＮＢ１０４又はＵＥ１０２を参照し得るが、それらの方法の実施例は、それらのｅＮＢ１０４又はＵＥ１０２だけに限定されず、Ｗｉ−Ｆｉアクセスポイント（ＡＰ）又はユーザ局（ＳＴＡ）などの他のモバイルデバイス上で実施されることも可能である。更に、方法５００、及び本明細書で説明される他の方法は、ＩＥＥＥ８０２．１１などの様々なＩＥＥＥ標準により動作するように構成されたシステムを含む、他の適切なタイプのワイヤレス通信システムにおいて動作するように構成されたワイヤレスデバイスによって実施されてもよい。また、方法５００は、ＵＥ１０２及び／若しくはｅＮＢ１０４、又は前述した他のデバイスのための装置を参照することも可能である。
【００４３】
方法５００の動作５０５において、ＵＥ１０２は、ネットワークにおいて動作するように構成されたｅＮＢ１０４から、第１同期信号（ＰＳＳ）を受信することが可能である。ＵＥ１０２は、動作５１０において、ｅＮＢ１０４から第２同期信号（ＳＳＳ）を受信することが可能である。動作５１５において、ＵＥ１０２は、ＰＳＳの受信及び／又はＳＳＳの受信に基づいて、ｅＮＢ１０４とＵＥ１０２との間のネットワーク基準タイミング及び／又は周波数オフセットを判定することが可能である。一例として、ネットワーク基準タイミングは、ＵＥ１０２による信号の送信及び／又は受信のために使用され得る。例えば、フレーム、シンボル、又は他の時間周期に関する開始時間、終了時間、基準時間、システム時間、又は他の時間が使用され得る。いくつかの実施例において、ＵＥ１０２は、１つ又は複数のＰＳＳを受信して、粗いタイミング、及び／又は粗い周波数オフセットの判定を可能にし得る。一例として、粗いタイミングは、ネットワーク基準タイミング又は他のタイミングの推定であり得る。ＵＥ１０２は、１つ又は複数のＳＳＳを受信して、粗いタイミング、及び／又は粗い周波数オフセットを更に判定する（又は改良する）ことが可能である。しかしながら、これらの実施例は、限定的ではない。
【００４４】
いくつかの実施例において、ＵＥ１０２は、Ｄ２Ｄ通信のために予約され得る時間リソース及び／又はチャネルリソース（周波数リソース）を示すことが可能な１つ又は複数の制御メッセージを受信することが可能である。一例として、Ｄ２Ｄ  ＴＴＩのグループが示され得る。別の例として、リソース要素（ＲＥ）及び／又はリソースブロック（ＲＢ）のグループが示され得る。いくつかの実施例において、メッセージは、無線リソース制御（ＲＲＣ）メッセージ又は他のメッセージを含み得る。一例として、時間リソース及び／又はチャネルリソースなどのＤ２Ｄ通信と関係する情報が、必ずしもＤ２Ｄ通信に専用ではない１つ又は複数の制御メッセージにおいて示され得る。すなわち、メッセージは、必ずしもＤ２Ｄ通信と関係しないかもしれない他のパラメータ及び／又は情報を含み得る。
【００４５】
方法５００の動作５２０において、ＵＥ１０２は、第２のＵＥ１０２に、ＵＥ１０２と第２のＵＥ１０２との間のＤ２Ｄ通信セッションのために、第１Ｄ２Ｄ同期信号（ＰＤ２ＤＳＳ）を送信することが可能である。動作５２５において、ＵＥ１０２は、Ｄ２Ｄ通信セッションのために、第２のＵＥ１０２に、第２Ｄ２Ｄ同期信号（ＳＤ２ＤＳＳ）を送信することが可能である。いくつかの実施例において、動作５２０及び／又は５２５は、ＵＥ１０２がＤ２Ｄ通信セッションを開始するか、又は確立すると、実行されることが可能であるが、実施例の範囲は、この点に限定されない。
【００４６】
方法５００の動作５３０において、ＵＥ１０２は、第２のＵＥ１０２から、ＵＥ１０２と第２のＵＥ１０２との間のＤ２Ｄ通信セッションのために、第１Ｄ２Ｄ同期信号（ＰＤ２ＤＳＳ）を受信することが可能である。動作５３５において、ＵＥ１０２は、Ｄ２Ｄ通信セッションのために、第２のＵＥ１０２から、第２Ｄ２Ｄ同期信号（ＳＤ２ＤＳＳ）を受信することが可能である。いくつかの実施例において、動作５３０及び／又は５３５は、第２のＵＥ１０２がＤ２Ｄ通信セッションを開始するか、又は確立すると、実行されることが可能であるが、実施例の範囲は、この点に限定されない。
【００４７】
前述したとおり、方法５００のいくつかの実施例は、図５に示されるすべての動作を必ずしも含まないことが可能である。いくつかの実施例において、ＵＥ１０２がＤ２Ｄ通信セッションを開始するか、及び／又は確立する場合、方法５００は、動作５２０及び／又は５２５を含むことが可能であり、動作５３０及び５３５を除外することが可能である。いくつかの実施例において、第２のＵＥ１０２がＤ２Ｄ通信セッションを開始するか、及び／又は確立する場合、方法５００は、動作５３０及び５３５を含むことが可能であり、動作５２０及び／又は５２５を除外することが可能である。しかしながら、これらの実施例は、いくつかの実施例が動作５２０〜５３５のいずれか、又はすべてを含み得るので、限定的ではない。
【００４８】
いくつかの実施例において、Ｄ２Ｄ通信セッションは、カバレッジ内Ｄ２Ｄ通信セッションであることが可能である。したがって、Ｄ２Ｄ通信セッションに関する送信タイミング及び受信タイミングは、前述したネットワーク基準タイミングなどの、ネットワークのタイミングに基づくことが可能である。例えば、ＵＥ１０２は、ネットワーク基準タイミングに同期されることが可能であり、ネットワーク基準タイミングに基づいて、ＰＤ２ＤＳＳ、ＳＤ２ＤＳＳ、及び／又は他の信号を送信すること、並びに受信することが可能である。そのような事例において、ＰＤ２ＤＳＳは、「カバレッジ内ＰＤ２ＤＳＳ」であることが可能である。
【００４９】
いくつかの実施例において、Ｄ２Ｄ通信セッションは、カバレッジ外Ｄ２Ｄ通信セッションであることが可能である。したがって、Ｄ２Ｄ通信セッションの送信タイミング及び受信タイミングは、前述したネットワーク基準タイミングなどのネットワークによって使用されるタイミングと非同期であり得る。例えば、ＵＥ１０２は、ネットワーク基準タイミングと非同期のＰＤ２ＤＳＳ、ＳＤ２ＤＳＳ、及び／又は他の信号を送信すること、並びに受信することが可能である。そのような事例において、ＰＤ２ＤＳＳは、「カバレッジ外ＰＤ２ＤＳＳ」であることが可能である。
【００５０】
いくつかの実施例において、１つ又は複数のシーケンスが、カバレッジ内ＰＤ２ＤＳＳ、カバレッジ外ＰＤ２ＤＳＳ、及び／又はＰＳＳのために使用され得る。一例として、カバレッジ内ＰＤ２ＤＳＳとカバレッジ外ＰＤ２ＤＳＳは、異なっていてもよい。一例として、カバレッジ内ＰＤ２ＤＳＳとカバレッジ外ＰＤ２ＤＳＳは、同一であってもよい。すなわち、Ｄ２Ｄ通信セッションがカバレッジ内セッションであるか、又はカバレッジ外セッションであるかに必ずしも基づかないＰＤ２ＤＳＳが、使用されることが可能である。別の例として、カバレッジ内ＰＤ２ＤＳＳ及び／又はカバレッジ外ＰＤ２ＤＳＳは、ＰＳＳとは異なっていてもよい。別の例として、候補シーケンスのグループが、カバレッジ内ＰＤ２ＤＳＳ、カバレッジ外ＰＤ２ＤＳＳ、及び／又はＰＳＳに関する選択に利用可能であり得る。
【００５１】
いくつかの実施例において、ＰＤ２ＤＳＳは、同期信号タイプ標識を含み得る。例えば、その標識は、ＰＤ２ＤＳＳが、カバレッジ内ＰＤ２ＤＳＳであるか、又はカバレッジ外ＰＤ２ＤＳＳであるかを示すことが可能である。いくつかの実施例において、ＰＤ２ＤＳＳは、周波数ホッピングと関係する同期ホップカウント又は他のパラメータ若しくは情報を含み得る。しかしながら、これらの実施例は、ＰＤ２ＤＳＳが、Ｄ２Ｄ通信セッションと関係すること、又は必ずしも関係しないことが可能な他のパラメータ若しくは情報も含み得るので、限定的ではない。例えば、いくつかの事例において、ＰＤ２ＤＳＳによって使用されるブロックサイズ又は変調フォーマットなどの、ＰＤ２ＤＳＳに関する制御情報が含まれることも可能である。
【００５２】
カバレッジ内ＰＤ２ＤＳＳ及びカバレッジ外ＰＤ２ＤＳＳが参照され得るが、そのような参照は、限定的ではないことに留意されたい。カバレッジ内ＰＤ２ＤＳＳ並びにカバレッジ外ＰＤ２ＤＳＳの判定及び／若しくは使用のために本明細書で説明される技法及び動作のうちのいくつか、又はすべては、複数のＰＤ２ＤＳＳの判定及び／又は使用にも適用可能であり得る。そのような複数のＰＤ２ＤＳＳの使用は、いくつかの事例において、ＵＥ１０２がカバレッジ内にあるか、若しくはカバレッジ外にあるかと関係すること、又は必ずしも関係しないことが可能である。例えば、カバレッジ内ＰＤ２ＤＳＳ及びカバレッジ外ＰＤ２ＤＳＳのために使用される技法が、いくつかの事例において、第１のＰＤ２ＤＳＳ及び第２のＰＤ２ＤＳＳのために使用されることも可能である。いくつかの実施例において、ＰＤ２ＤＳＳは、ＰＤ２ＤＳＳが第１のＰＤ２ＤＳＳであるか、又は第２のＰＤ２ＤＳＳであるかを示すことが可能である。
【００５３】
また、ＰＤ２ＤＳＳに関する説明は、いくつかの事例において、ＳＤ２ＤＳＳにも適用可能であり得ることにも留意されたい。一例として、カバレッジ内ＳＤ２ＤＳＳ及びカバレッジ外ＳＤ２ＤＳＳが使用されることが可能であり、カバレッジ内ＳＤ２ＤＳＳとカバレッジ外ＳＤ２ＤＳＳは、同一であってもよいか、又は異なっていてもよい。更に、これらのＳＤ２ＤＳＳのいずれか、又は両方が、ＳＳＳと同一であってもよいか、又は異なっていてもよい。
【００５４】
動作５４０において、ＵＥ１０２は、ＰＤ２ＤＳＳの受信及び／又はＳＤ２ＤＳＳの受信に基づいて、ＵＥ１０２と第２のＵＥ１０２との間の周波数オフセットを判定することが可能である。一例として、ＰＤ２ＤＳＳ及び／又はＳＤ２ＤＳＳの受信は、ＵＥ１０２とｅＮＢ１０４との間のネットワーク周波数オフセットにより実行され得る。例えば、ＵＥ１０２は、ＰＤ２ＤＳＳ及び／又はＳＤ２ＤＳＳの受信のための動作周波数を、ネットワーク周波数オフセットに基づいて調整することが可能である。したがって、ネットワーク周波数オフセットと同一であること、又は同一でないことが可能であるＤ２Ｄ周波数オフセットが、判定されることが可能であり、Ｄ２Ｄ通信セッションのために使用されることが可能である。一例として、Ｄ２Ｄ周波数オフセットは、ネットワーク周波数オフセットに対する周波数オフセットであり得る。
【００５５】
いくつかの実施例において、ｅＮＢ１０４における周波数オフセットは、ＵＥ１０２における予期される周波数オフセットより相当に低い可能性があることに留意されたい。例えば、ＵＥ１０２の設計は、構成要素の費用、デバイスサイズ、品質、又はその他などの要因により制約されるか、又は制限されるかもしれず、これらの要因のうちのいくつか、又はすべては、必ずしもｅＮＢ１０４には適用可能でない可能性がある。一例として、ｅＮＢ１０４は、０．１ｐｐｍ（百万分率）までであり得る周波数誤差で動作することが可能であり、一方、ＵＥ１０２は、１０ｐｐｍまでであり得る周波数誤差で動作することが可能である。更に、ＵＥ１０２と第２のＵＥ１０２との間の周波数誤差は、いくつかの事例において、２０ｐｐｍまでであり得る。したがって、例示的な２ＧＨｚキャリア周波数の場合、ＵＥ１０２と第２のＵＥ１０２との間の周波数誤差は、４０ｋＨｚまでであり得る。
【００５６】
更に、ＵＥ１０２は、いくつかの事例において、ＰＤ２ＤＳＳの受信及び／又はＳＤ２ＤＳＳの受信に基づいて、第２のＵＥ１０２とのＤ２Ｄ通信セッションに関するＤ２Ｄタイミングを判定することが可能である。一例として、ＰＤ２ＤＳＳ及び／又はＳＤ２ＤＳＳは、動作５１５において判定されたタイミングなどの、ネットワーク基準タイミング又は他のタイミングにより受信されることが可能であり、Ｄ２Ｄタイミングは、受信の一部分として判定されることが可能である。Ｄ２Ｄタイミングは、ネットワーク基準タイミングと異なること、又は異ならないことが可能である。いくつかの事例において、Ｄ２Ｄタイミングは、ネットワーク基準タイミングと同様であることが可能であるが、ＵＥ１０２に対する第２のＵＥ１０２及びｅＮＢ１０４の位置などの要因に基づいて、異なっていてもよい。例えば、ＵＥ１０２とｅＮＢ１０４との間の伝播遅延は、ＵＥ１０２と第２のＵＥ１０２との間の伝播遅延とは異なる可能性がある。
【００５７】
動作５４５において、ＵＥ１０２は、Ｄ２Ｄ通信セッションの一部分として第２のＵＥ１０２にデータ信号を送信することが可能である。いくつかの実施例において、データ信号は、判定されたＤ２Ｄ周波数オフセット、及び／又は判定されたＤ２Ｄタイミングにより送信され得る。非限定的な例として、ＵＥ１０２にとってネットワークカバレッジが利用できない場合、データ信号は、Ｄ２Ｄ通信セッションの一部分として第２のＵＥ１０２に送信され得る。例えば、ＵＥ１０２は、位置、トラフィック、輻輳、又は他の要因のためにｅＮＢ１０４及び／又は他のｅＮＢ１０４と通信できない可能性がある。別の非限定的な例として、ＵＥ１０２は、ネットワークカバレッジがＵＥ１０２にとって利用可能である間でさえ、第２のＵＥ１０２とデータ信号を交換することが可能である。
【００５８】
動作５５０において、ＵＥ１０２は、ｅＮＢ１０４とのネットワーク内通信セッションの一部分として、ｅＮＢ１０４にデータ信号を送信することが可能である。一例として、データ信号は、第２のＵＥ１０２に向けられることが可能であり、ｅＮＢ１０４により第２のＵＥ１０２に転送するために、ｅＮＢ１０４に送信されることが可能である。すなわち、ＵＥ１０２は、いくつかの事例において、ネットワーク内通信の一部分として、第２のＵＥ１０２にデータ信号を送ることが可能である。実施例は、ＵＥ１０２及び第２のＵＥ１０２によるＤ２Ｄ通信又はネットワーク内通信の排他的使用に限定されないことに留意されたい。いくつかの実施例において、Ｄ２Ｄ通信とネットワーク内通信の組み合わせが使用されてもよい。
【００５９】
いくつかの実施例において、ＰＤ２ＤＳＳ信号は、１つ又は複数のＰＤ２ＤＳＳシンボルシーケンスに基づくことが可能である。非限定的な例として、１つ又は複数のＺａｄｏｆｆ−Ｃｈｕ（ＺＣ）シーケンスが使用されることが可能である。例えば、ＺＣインデックスｕの場合、長さ６２のＰＤ２ＤＳＳシーケンスが、０、１、．．．、３０の範囲内のインデックスｎに関してｅｘｐ（−ｊ＊ｐｉ＊ｕ＊ｎ＊（ｎ＋１）／６３）として判定されることが可能であり、３１、３２、．．．、６１の範囲内のインデックスｎに関してｅｘｐ（−ｊ＊ｐｉ＊ｕ＊（ｎ＋１）＊（ｎ＋２）／６３）として判定されることが可能である
【００６０】
いくつかの事例において、他のシーケンス長が使用され得ることに留意されたい。更に、いくつかの事例において、ＺＣシーケンス長を所望されるシーケンス長に短縮するためにパンクチャリングが使用され得る。一例として、長さ７３のＺＣシーケンスが、パンクチャリングを介して長さ７２のシーケンスに短縮されることが可能であり、長さ７２のパンクチャリングされたシーケンスが使用されることが可能である。例えば、１２個のＲＥの各々の６つのリソースブロック（ＲＢ）が使用され、長さ７２シーケンスが適用可能であり得る。
【００６１】
しかしながら、この例は、他のシーケンスが使用され得るので、限定的ではない。一例として、２位相シフト変調（ＢＰＳＫ）シーケンス又は４位相シフト変調（ＱＰＳＫ）シーケンスが使用されてもよく、シーケンスの不確定性関数及び／又は相関関数に基づいて選択されることが可能である。選択は、いくつかの事例において、前述した４０ｋＨｚなどの周波数範囲にわたってそのような関数に基づくことが可能である。例えば、シーケンスに関する望ましい自己相関関数は、０において、又は０近くで時間値及び／又は周波数シフト値に関して大きいピークを含むことが可能であり、大きいサイドローブを除外することが可能である。そのような自己相関関数は、設計プロセスの一部分として、周波数オフセットが存在する状況においてアプリオリにシミュレートされ、検査されることが可能である。
【００６２】
いくつかの実施例において、ＰＤ２ＤＳＳは、Ｄ２Ｄ通信に対して割り当てられるか、及び／又は、Ｄ２Ｄ通信のために予約されることが可能なチャネルリソースにおいて送信され得る。そのようなチャネルリソースは、任意の数のリソース要素（ＲＥ）、リソースブロック（ＲＢ）、又は周波数における他の割り当てを含み得る。一例として、Ｄ２Ｄ  ＲＥのグループが、Ｄ２Ｄ通信のために割り当てられることが可能であり、ＺＣシーケンス又は他のシーケンスが、所定のマッピングにより、Ｄ２Ｄ  ＲＥの少なくとも一部分にマッピングされることが可能である。Ｄ２Ｄ  ＲＥを含み得るＲＥのグループに対してフーリエ変換（ＦＴ）操作が実行されることが可能である。ＦＴ操作は、離散フーリエ変換（ＤＦＴ）、逆離散フーリエ変換（ＩＤＦＴ）、高速フーリエ変換（ＦＦＴ）、逆高速フーリエ変換（ＩＦＦＴ）、又はその他を含むが、上記には限定されない任意の適切なＦＴ関数を含み得ることに留意されたい。
【００６３】
ＦＴ操作が実行され得るＲＥのグループは、いくつかの事例において、所定のシンボル値（０．０などの）がＦＴ操作のために使用され得るガードバンドＲＥ及び／又は直流（ＤＣ）ＲＥなどの他のＲＥを含むことも可能である。いくつかの事例において、ＦＴが実行され得るＲＥのグループは、Ｄ２Ｄ通信以外の（ネットワーク内通信若しくはその他などの）目的で割り当てられた他のＲＥ、及び／又は、使用されていないか、若しくは予約されたＲＥを含むことも可能である。例えば、長さ６２のＰＤ２ＤＳＳシンボルシーケンスが、１２８個のＲＥから成るグループのうちの６２個のＲＥから成る所定のグループにマッピングされることが可能であり、ＦＴ操作は、１２８個のＲＥから成るグループに対して実行されることが可能である。
【００６４】
いくつかの実施例において、ＰＤ２ＤＳＳは、１つ又は複数のＰＤ２ＤＳＳ部分を含み得る。一例として、ＰＤ２ＤＳＳは、第１のＰＤ２ＤＳＳシンボルシーケンスのＦＴに基づく第１のＰＤ２ＤＳＳ部分を含むことが可能であり、第２のＰＤ２ＤＳＳシンボルシーケンスのＦＴに基づく第２のＰＤ２ＤＳＳ部分を更に含むことが可能である。第１のＰＤ２ＤＳＳシンボルシーケンスは、第１のＰＤ２ＤＳＳ  ＺＣインデックスに基づき得る第１のＰＤ２ＤＳＳ  ＺＣシーケンスであることが可能であるか、又はそのような第１のＰＤ２ＤＳＳ  ＺＣシーケンスを含むことが可能である。第２のＰＤ２ＤＳＳシンボルシーケンスは、第２のＰＤ２ＤＳＳ  ＺＣインデックスに基づき得る第２のＰＤ２ＤＳＳ  ＺＣシーケンスであることが可能であるか、又はそのような第２のＰＤ２ＤＳＳ  ＺＣシーケンスを含むことが可能である。いくつかの実施例において、第１のＰＤ２ＤＳＳ  ＺＣシーケンスは、第１のＰＤ２ＤＳＳシーケンスのＦＴのために、所定のマッピングにより、Ｄ２Ｄ  ＲＥにマッピングされ得る。第２のＰＤ２ＤＳＳ  ＺＣシーケンスは、第２のＰＤ２ＤＳＳシーケンスのＦＴのために、所定のマッピングにより、Ｄ２Ｄ  ＲＥにマッピングされ得る。
【００６５】
実施例は、そのようなものとして限定されないものの、第１のＰＤ２ＤＳＳ  ＺＣインデックスと第２のＰＤ２ＤＳＳ  ＺＣインデックスは、いくつかの事例において、異なり得る。したがって、第１のＰＤ２ＤＳＳ  ＺＣシーケンスと第２のＰＤ２ＤＳＳ  ＺＣシーケンスは、異なることが可能であり、第１のＰＤ２ＤＳＳ部分と第２のＰＤ２ＤＳＳ部分は、そのような事例において異なり得る。一例として、第１のＰＤ２ＤＳＳ  ＺＣシーケンスは、第１のＰＤ２ＤＳＳ  ＺＣインデックスに基づくことが可能であり、第２のＰＤ２ＤＳＳ  ＺＣシーケンスは、第１のＰＤ２ＤＳＳ  ＺＣシーケンスの複素共役に基づくことが可能である。いくつかの事例において、第１のＰＤ２ＤＳＳ  ＺＣインデックス及び第２のＰＤ２ＤＳＳ  ＺＣインデックスは、前述した４０ｋＨｚ範囲などの周波数オフセットの特定の範囲内の第１のＰＤ２ＤＳＳ  ＺＣシーケンス及び第２のＰＤ２ＤＳＳ  ＺＣシーケンスに関する１つ又は複数の不確定性関数に基づいて設計されること、又は選択されることが可能である。
【００６６】
いくつかの実施例において、カバレッジ内ＰＤ２ＤＳＳ及び／又はカバレッジ外ＰＤ２ＤＳＳはそれぞれ、第１の部分及び第２の部分などの複数の部分を含み得る。一例として、カバレッジ内ＰＤ２ＤＳＳの第１の部分は、第１のＺＣシーケンスのＦＴに基づくことが可能であり、カバレッジ内ＰＤ２ＤＳＳの第２の部分は、第２のＺＣシーケンスのＦＴに基づくことが可能である。カバレッジ外ＰＤ２ＤＳＳの第１の部分は、カバレッジ内ＰＤ２ＤＳＳの第１の部分の複素共役を含み得る。カバレッジ外ＰＤ２ＤＳＳの第２の部分は、カバレッジ内ＰＤ２ＤＳＳの第２の部分の複素共役を含み得る。
【００６７】
いくつかの実施例において、第１のＰＤ２ＤＳＳ部分は、第１の時間周期中に送信されることが可能であり、第２のＰＤ２ＤＳＳ部分は、第２の時間周期中に送信されることが可能である。一例として、第１のＰＤ２ＤＳＳ部分と第２のＰＤ２ＤＳＳ部分は、所定の時間差により送信され得る。すなわち、第１のＰＤ２ＤＳＳ部分と第２のＰＤ２ＤＳＳ部分に関する伝送時間は、所定の時間差だけ分離され得る。非限定的な例として、５ミリ秒の間隔が使用されることが可能であるが、実施例は、そのようなものとして限定されない。そのような時間差は、３ＧＰＰ  ＬＴＥ標準又は他の標準の一部分として含まれることが可能であるが、実施例は、そのようなものとして限定されない。
【００６８】
第１の時間周期及び第２の時間周期のそれぞれの間に送信されるＰＤ２ＤＳＳ部分は、ＺＣシーケンス又は他のシーケンスなどのシーケンスのＦＴに基づくことが可能であり、前述した技法を使用して形成されることが可能である。例えば、所定の様態におけるシーケンスのＲＥに対するマッピングは、ＰＤ２ＤＳＳ部分のそれぞれに関して実行されることが可能である。
【００６９】
いくつかの実施例において、ＰＤ２ＤＳＳの受信は、第１の偏相関及び第２の偏相関の判定を含み得る。したがって、Ｄ２Ｄ周波数オフセットは、それらの偏相関に関する位相差、又は他の関連する情報に基づいて判定され得る。
【００７０】
いくつかの実施例において、ＰＳＳは、ＰＤ２ＤＳＳに関して本明細書で説明されるのと同様の技法を使用することが可能である。一例として、１つ又は複数のＦＴ操作が、１つ又は複数のＰＳＳシンボルシーケンスに対して実行されて、１つ又は複数のＰＳＳ部分を形成することが可能である。いくつかの実施例において、ＰＳＳは、同一のＰＳＳシンボルシーケンスのＦＴに基づくことが可能な第１のＰＳＳ部分及び第２のＰＳＳ部分を含み得る。第１のＰＳＳ部分と第２のＰＳＳ部分は、ＰＤ２ＤＳＳに関して使用される所定の時間間隔と同一であること、又は同一でないことが可能である所定の時間間隔により送信され得る。
【００７１】
一例として、ＰＳＳシンボルシーケンスは、ＰＳＳ  ＺＣインデックスに基づき得るＰＳＳ  ＺＣシーケンスを含むことが可能であるか、又はそのようなＰＳＳ  ＺＣシーケンスに基づくことが可能である。ＰＤ２ＤＳＳの第１の部分は、第１のＰＤ２ＤＳＳ  ＺＣインデックスに基づき得る第１のＰＤ２ＤＳＳ  ＺＣシーケンスに基づくことが可能である。ＰＤ２ＤＳＳの第２の部分は、第２のＰＤ２ＤＳＳ  ＺＣインデックスに基づき得る第２のＰＤ２ＤＳＳ  ＺＣシーケンスに基づくことが可能である。ＰＳＳ  ＺＣインデックスと第１のＰＤ２ＤＳＳ  ＺＣインデックスと第２のＰＤ２ＤＳＳ  ＺＣインデックスは、いくつかの事例において、異なることが可能である。
【００７２】
しかしながら、ＰＳＳは、いくつかの実施例において、異なるＰＳＳシンボルシーケンスのＦＴに基づき得る第１のＰＳＳ部分及び第２のＰＳＳ部分を含み得るので、これらの実施例は、限定的ではない。すなわち、第１のＰＳＳ部分は、第１のＰＳＳシンボルシーケンスに基づくことが可能であり、第２のＰＳＳ部分は、異なる第２のＰＳＳシーケンスに基づくことが可能である。そのようなものとして限定されないものの、本明細書で説明されるＰＤ２ＤＳＳの生成のために使用される技法のうちのいくつか、又はすべては、いくつかの実施例において、ＰＳＳの生成のために使用され得る。
【００７３】
特定のＺＣシーケンス及び／又はＺＣインデックスに基づくＰＳＳ及び／又はＰＤ２ＤＳＳの判定に関して、いくつかの非限定的な例が与えられる。いくつかの事例において、そのような例は、前述したもののような周波数オフセット範囲にわたって実行され得る、自己相関、不確定性関数、又はその他などのシミュレーション結果に基づくことが可能である。いくつかの事例において、それらの例は、３ＧＰＰ  ＬＴＥ標準又は他の標準において使用される値に基づくことが可能である。これらの例において与えられるＺＣインデックス及び／又はＺＣインデックスのペアの特定の値は、限定的ではないことに留意されたい。本明細書で説明される技法のうちのいくつか、又はすべては、いくつかの事例において、ＺＣインデックス及び／又はＺＣインデックスのペアの他の値を使用して実施され得る。一例として、これらの例において提示される特定の値は、自己相関関数、不確定性関数、又は他のシミュレーション結果に関する結果に基づいて選択され得る。
【００７４】
一例として、ＰＳＳは、２５、２９、及び３４というＺＣインデックスを使用することが可能である。すなわち、３つの候補ＰＳＳが利用可能であり、使用される特定のＰＳＳは、セルＩＤ又は他の要因に依存することが可能である。
【００７５】
別の例として、時間シフト及び不確定性ピークが最小限に抑えられること（又は少なくとも比較的低いこと）が可能な１つ又は複数の特定のＺＣインデックスが、ＰＤ２ＤＳＳのために使用され得る。いくつかの事例において、第１のＺＣインデックスは、特定のウインドウ又は時間周期に関する第１の偏相関のタイミング許容差に少なくとも部分的に基づいて、第１のＰＤ２ＤＳＳ部分での使用のために選択され得る。例えば、直交周波数分割多重化（ＯＦＤＭ）巡回プレフィックス（ＣＰ）時間間隔が使用されることが可能であり、第１のＺＣインデックスが、タイミング許容差が周波数オフセットの範囲（＋／−４０ｋＨｚ又は他の範囲などの）に関するＣＰ内にあるように選択されることが可能である。一例として、１又は６２というＺＣインデックスを使用する長さ６３のＺＣシーケンスが、これらの基準、又は他の基準に少なくとも部分的に基づいて使用され得る。更に、いくつかの事例において、１又は７２というＺＣインデックスを使用する長さ７３のＺＣシーケンスが、これらの基準、又は他の基準に少なくとも部分的に基づいて使用されることも可能である。
【００７６】
別の例として、６２のＰＤ２ＤＳＳシーケンス長が使用される場合、１又は６２というＺＣインデックスが、第１のＰＤ２ＤＳＳ部分に関して使用されることが可能であり、異なるＺＣインデックスが、第２のＰＤ２ＤＳＳ部分に関して使用されることが可能である。例えば、１というＺＣインデックスが第１のＰＤ２ＤＳＳ部分に関して使用される場合、５３、５２、４１、又は３７というＺＣインデックスが、第２のＰＤ２ＤＳＳ部分に関して使用されることが可能である。６２というＺＣインデックスが第１のＰＤ２ＤＳＳ部分に関して使用される場合、１０、１１、２２、又は２６というＺＣインデックスが、第２のＰＤ２ＤＳＳ部分に関して使用されることが可能である。
【００７７】
別の例として、７２のＰＤ２ＤＳＳシーケンス長が使用される場合、１又は７２というインデックスが、第１のＰＤ２ＤＳＳ部分に関して使用されることが可能であり、異なるＺＣインデックスが、第２のＰＤ２ＤＳＳ部分に関して使用されることが可能である。例えば、１というＺＣインデックスが第１のＰＤ２ＤＳＳ部分に関して使用される場合、７２、８、４９、又は４１というＺＣインデックスが、第２のＰＤ２ＤＳＳ部分に関して使用されることが可能である。７２というＺＣインデックスが第１のＰＤ２ＤＳＳ部分に関して使用される場合、１、６５、２４、又は３２というＺＣインデックスが、第２のＰＤ２ＤＳＳ部分に関して使用されることが可能である。
【００７８】
別の例として、第２のＰＤ２ＤＳＳ部分は、第１のＰＤ２ＤＳＳ部分の複素共役を含み得る。６２のＰＤ２ＤＳＳシーケンス長が使用される場合、ＺＣインデックスの下記のペア、すなわち、（２６，３７）、（１０，５３）、（１１，５２）、（２２，４１）、又は（２３，４０）が、第１のＰＤ２ＤＳＳ部分及び第２のＰＤ２ＤＳＳ部分に関して使用され得る。７２のＰＤ２ＤＳＳシーケンス長が使用される場合、ＺＣインデックスの下記のペア、すなわち、（１，７２）、（８，６５）、（２４，４９）、（３０，４３）、又は（３２，４１）が、第１のＰＤ２ＤＳＳ部分及び第２のＰＤ２ＤＳＳ部分に関して使用され得る。別の例として、ＺＣインデックスのペア（上記に与えられるもののような）が、カバレッジ内ＰＤ２ＤＳＳに関して使用されることが可能であり、ＺＣインデックスのペアの反転が、カバレッジ外ＰＤ２ＤＳＳに関して使用されることが可能である。例えば、ペア（２６，３７）が、カバレッジ内ＰＤ２ＤＳＳに関して使用されることが可能であり、ペア（３７，２６）が、カバレッジ外ＰＤ２ＤＳＳに関して使用されることが可能である。
【００７９】
別の例として、カバレッジ内ＰＤ２ＤＳＳの第１の部分とカバレッジ外ＰＤ２ＤＳＳの第１の部分が共役によって関係付けられることが可能であり、カバレッジ内ＰＤ２ＤＳＳの第２の部分とカバレッジ外ＰＤ２ＤＳＳの第２の部分が共役によって関係付けられることが可能である。１つの構成において、ＺＣインデックスの第１のペア（１０，３７）が、カバレッジ内ＰＤ２ＤＳＳに関して使用されることが可能であり、ＺＣインデックスの第２のペア（５３，２６）が、カバレッジ外ＰＤ２ＤＳＳに関して使用されることが可能である。したがって、ＺＣインデックス１０と５３は、共役であることが可能であり、ＺＣインデックス３７と２６は、共役であることが可能である。別の構成において、ＺＣインデックスの第１のペア（２２，３７）が、カバレッジ内ＰＤ２ＤＳＳに関して使用されることが可能であり、ＺＣインデックスの第２のペア（４１，２６）が、カバレッジ外ＰＤ２ＤＳＳに関して使用されることが可能である。別の構成において、ＺＣインデックスの第１のペア（１０，４１）が、カバレッジ内ＰＤ２ＤＳＳに関して使用されることが可能であり、ＺＣインデックスの第２のペア（５３，２２）が、カバレッジ外ＰＤ２ＤＳＳに関して使用されることが可能である。別の構成において、ＺＣインデックスの第１のペア（１，５３）が、カバレッジ内ＰＤ２ＤＳＳに関して使用されることが可能であり、ＺＣインデックスの第２のペア（６２，１０）が、カバレッジ外ＰＤ２ＤＳＳに関して使用されることが可能である。別の構成において、ＺＣインデックスの第１のペア（１１，２２）が、カバレッジ内ＰＤ２ＤＳＳに関して使用されることが可能であり、ＺＣインデックスの第２のペア（５２，４１）が、カバレッジ外ＰＤ２ＤＳＳに関して使用されることが可能である。別の構成において、ＺＣインデックスの第１のペア（１１，２６）が、カバレッジ内ＰＤ２ＤＳＳに関して使用されることが可能であり、ＺＣインデックスの第２のペア（５２，３７）が、カバレッジ外ＰＤ２ＤＳＳに関して使用されることが可能である。
【００８０】
いくつかの実施例において、ＳＳＳは、インターリーブされること、及び／又は連結されることが可能な１つ又は複数のシーケンスを含み得る。例えば、長さ３１の２つのｍシーケンスが、連結されて、連結されたシーケンスにされ得る。連結されたシーケンスは、いくつかの事例において、セルＩＤに基づくことが可能な１つ又は複数のスクランブリングシーケンスでスクランブルされ得る。一例として、スクランブルすることは、奇数要素（odd  elements）などの、連結されたシーケンスの一部分に適用されることが可能である。いくつかの実施例において、ＳＤ２ＤＳＳは、同様の技法を使用して判定され得る。例えば、ＳＳＳをスクランブルすることは、ＳＤ２ＤＳＳに関して省かれることが可能である。
【００８１】
図６は、いくつかの実施例による、直交周波数分割多重化（ＯＦＤＭ）構成の一例、及びシングルキャリア周波数分割多重化（ＳＣ−ＦＤＭ）構成の一例を例示する。実施例は、使用されるＲＥの数又は構成の点で、図６に示される例６００及び例６５０によって限定されないことに留意されたい。
【００８２】
例示的なシナリオ６００は、長さ６２の、短縮されたＺＣシーケンス又はその他などのシーケンスに関するＯＦＤＭ伝送を例示する。この例において、ＤＣ  ＲＥ６２５は占有されず、一方、ＲＥ６２０は、シンボルによって占有される。更に、ＲＥ６３０は、他の通信（Ｄ２Ｄ通信と関係すること、又は関係しないことが可能である）のために占有される任意の数のガードＲＥ６３０及び／又は他のＲＥ６３０を含み得る。例えば、１２８個のＲＥに対するＦＴ操作が使用されることが可能であり、その事例において、−６４から−３２まで、及び３２から６３までのインデックスが付けられたＲＥ６３０が、そのようなガードＲＥ６３０及び／又は他のＲＥ６３０を含み得る。
【００８３】
例示的なシナリオ６５０は、長さ６２の、短縮されたＺＣシーケンス又はその他などのシーケンスに関するＳＣ−ＦＤＭＡ伝送を例示する。この例において、ＤＣ  ＲＥ６７５及びＲＥ６７０は、シンボルによって占有される。矢印６８５によって示されるとおり、ＲＥ６７０、６７５に関するサブキャリアは、ＤＣ  ＲＥ６７５に対して半サブキャリアだけシフトされることが可能である。更に、ＲＥ６８０は、他の通信（Ｄ２Ｄ通信と関係すること、又は関係しないことが可能である）のために占有される任意の数のガードＲＥ６８０及び／又は他のＲＥ６８０を含み得る。例えば、１２８個のＲＥに対するＦＴ操作が使用されることが可能であり、その事例において、−６４から−３２まで、及び３１から６３までのインデックスが付けられたＲＥ６８０が、そのようなガードＲＥ６８０及び／又は他のＲＥ６８０を含み得る。
【００８４】
図７は、いくつかの実施例による、同期信号に関する時間リソースの割り当ての一例を例示する。実施例は、同期信号に関して使用される時間間隔の数又は構成の点で、図７に示される例７００によって限定されないことに留意されたい。非限定的な例示的なシナリオ７００において、ＰＤ２ＤＳＳの第１の部分７３０及び第２の部分７４０が使用され得る。フレーム７１０は、複数のタイムスロット７２０を含むことが可能であり、ＰＤ２ＤＳＳは、タイムスロット７２０の一部分において送信されることが可能である。第１の部分７３０と第２の部分７４０との間で所定の間隔７１５が使用され得る。非限定的な例として、フレーム７１０は、１０ミリ秒のＬＴＥフレームであることが可能であり、タイムスロット７２０は、１ミリ秒のＬＴＥ時間伝送間隔（ＴＴＩ）であることが可能である。
【００８５】
図８は、いくつかの実施例による同期信号の一例を例示する。実施例は、同期信号に関して使用されるシーケンスの数又は構成の点で、図８に示される例８００、８５０によって限定されないことに留意されたい。更に、実施例は、共役関係などの、図８に示される例示的な関係によって限定されない。
【００８６】
非限定的な例示的なシナリオ８００において、第１のＰＤ２ＤＳＳ８１０は、２６というＺＣインデックスに基づき得る第１の部分８１２を含むことが可能であり、３７というＺＣインデックスに基づき得る第２の部分８１４を更に含むことが可能である。インデックス２６と３７は、ＺＣシーケンスに関する共役インデックスであり得る。更に、第２のＰＤ２ＤＳＳ８２０は、３７というＺＣインデックスに基づき得る第１の部分８２２を含むことが可能であり、２６というＺＣインデックスに基づき得る第２の部分８２４を更に含むことが可能である。前述したとおり、インデックス２６と３７は、ＺＣシーケンスに関する共役インデックスであり得る。第１のＰＤ２ＤＳＳ８１０と第２のＰＤ２ＤＳＳ８２０は、図８に示されるとおり、この例示的なシナリオ８００において、異なるシーケンスであり得ることに留意されたい。
【００８７】
非限定的な例として、第１のＰＤ２ＤＳＳ８１０は、ＵＥ１０２がネットワークカバレッジ内にある場合に使用され得るカバレッジ内ＰＤ２ＤＳＳであることが可能であり、第２のＰＤ２ＤＳＳ８２０は、ＵＥ１０２がネットワークカバレッジ外にある場合に使用され得るカバレッジ外ＰＤ２ＤＳＳであることが可能である。しかしながら、第１のＰＤ２ＤＳＳ８１０及び第２のＰＤ２ＤＳＳ８２０は、他の目的及び／又はシナリオのために使用され得るので、この例は、限定的ではない。別の非限定的な例として、送信されるＰＤ２ＤＳＳは、ＵＥ１０２によって、第１のＰＤ２ＤＳＳ８１０又は第２のＰＤ２ＤＳＳ８２０のいずれかから選択され得る。それら２つのＰＤ２ＤＳＳのいずれかの選択は、第２のＵＥ１０２（又は他の受信するデバイス）に１ビットの情報を表すか、又は伝えることが可能である。そのような事例において、第２のＵＥ１０２は、第１のＰＤ２ＤＳＳ８１０及び第２のＰＤ２ＤＳＳ８２０の両方と同期しようと試みることが可能である。
【００８８】
非限定的な例示的なシナリオ８５０において、第１のＰＤ２ＤＳＳ８６０は、１０というＺＣインデックスに基づき得る第１の部分８６２を含むことが可能であり、３７というＺＣインデックスに基づき得る第２の部分８６４を更に含むことが可能である。更に、第２のＰＤ２ＤＳＳ８７０は、１０というＺＣインデックスに関する共役インデックスであり得る５３というＺＣインデックスに基づき得る第１の部分８７２を含むことが可能である。第２のＰＤ２ＤＳＳ８７０は、３７というＺＣインデックスに関する共役インデックスであり得る２６というＺＣインデックスに基づき得る第２の部分８７４を更に含むことが可能である。第１のＰＤ２ＤＳＳ８６０と第２のＰＤ２ＤＳＳ８７０は、図８に示されるとおり、この例示的なシナリオ８５０において異なるシーケンスであり得ることに留意されたい。
【００８９】
別の非限定的な例として、第１のＰＤ２ＤＳＳ８６０は、ＵＥ１０２がネットワークカバレッジ内にある場合に使用され得るカバレッジ内ＰＤ２ＤＳＳであることが可能であり、第２のＰＤ２ＤＳＳ８７０は、ＵＥ１０２がネットワークカバレッジ外にある場合に使用され得るカバレッジ外ＰＤ２ＤＳＳであることが可能である。しかしながら、第１のＰＤ２ＤＳＳ８６０及び第２のＰＤ２ＤＳＳ８７０は、他の目的及び／又はシナリオのために使用され得るので、この例は、限定的ではない。別の非限定的な例として、送信されるＰＤ２ＤＳＳは、ＵＥ１０２によって、第１のＰＤ２ＤＳＳ８６０又は第２のＰＤ２ＤＳＳ８７０のいずれかから選択されることが可能であり、それら２つのＰＤ２ＤＳＳのいずれかの選択は、第２のＵＥ１０２（又は他の受信するデバイス）に、１ビットの情報を表すか、又は伝えることが可能である。そのような事例において、第２のＵＥ１０２は、第１のＰＤ２ＤＳＳ８６０及び第２のＰＤ２ＤＳＳ８７０の両方と同期しようと試みることが可能である。
【００９０】
実例１において、ユーザ機器（ＵＥ）に関する装置は、トランシーバ回路と、ハードウェア処理回路とを備えることが可能である。ハードウェア処理回路は、トランシーバ回路を、ネットワークにおいて動作するように構成された進化型ノードＢ（ｅＮＢ）から、１つ又は複数のＰＳＳシンボルシーケンスに基づく第１同期信号（ＰＳＳ）を受信するように設定することが可能である。ハードウェア処理回路は、トランシーバ回路を、第２のＵＥに、ＵＥと第２のＵＥとの間のデバイスツーデバイス（Ｄ２Ｄ）通信セッションに関する第１デバイスツーデバイス同期信号（ＰＤ２ＤＳＳ）を送信するように更に設定することが可能である。ＰＤ２ＤＳＳは、１つ又は複数のＰＤ２ＤＳＳシンボルシーケンスに基づくことが可能である。ＰＤ２ＤＳＳは、ＰＳＳの受信に少なくとも部分的に基づくネットワーク基準タイミングにより送信され得る。
【００９１】
実例１の主題である実例２において、ＰＤ２ＤＳＳは、第１のＰＤ２ＤＳＳシンボルシーケンスのフーリエ変換（ＦＴ）に基づく第１のＰＤ２ＤＳＳ部分を含むことが可能であり、第２のＰＤ２ＤＳＳシンボルシーケンスのＦＴに基づく第２のＰＤ２ＤＳＳ部分を更に含むことが可能である。
【００９２】
実例１〜２のうちの１つ又はいずれかの組み合わせの主題である実例３において、第１のＰＤ２ＤＳＳ部分と第２のＰＤ２ＤＳＳ部分に関する伝送時間は、所定の時間差だけ分離され得る。
【００９３】
実例１〜３のうちの１つ又はいずれかの組み合わせの主題である実例４において、ＰＳＳは、同一のＰＳＳシンボルシーケンスのＦＴに基づく第１のＰＳＳ部分及び第２のＰＳＳ部分を含み得る。
【００９４】
実例１〜４のうちの１つ又はいずれかの組み合わせの主題である実例５において、ＰＳＳは、第１のＰＳＳシンボルシーケンスのＦＴに基づく第１のＰＳＳ部分と、第２のＰＳＳシンボルシーケンスのＦＴに基づく第２のＰＳＳ部分とを含み得る。
【００９５】
実例１〜５のうちの１つ又はいずれかの組み合わせの主題である実例６において、第１のＰＤ２ＤＳＳシンボルシーケンスは、第１のＰＤ２ＤＳＳ  Ｚａｄｏｆｆ−Ｃｈｕ（ＺＣ）インデックスに基づく第１のＰＤ２ＤＳＳ  ＺＣシーケンスを含むことが可能であり、第２のＰＤ２ＤＳＳシンボルシーケンスは、第２のＰＤ２ＤＳＳ  ＺＣインデックスに基づく第２のＰＤ２ＤＳＳ  ＺＣシーケンスを含むことが可能である。
【００９６】
実例１〜６のうちの１つ又はいずれかの組み合わせの主題である実例７において、ＰＳＳは、ＰＳＳシンボルシーケンスのＦＴに基づく第１のＰＳＳ部分及び第２のＰＳＳ部分を含み得る。ＰＳＳシンボルシーケンスは、ＰＳＳ  ＺＣインデックスに基づくＰＳＳ  ＺＣシーケンスを含み得る。ＰＳＳ  ＺＣインデックスと第１のＰＤ２ＤＳＳ  ＺＣインデックスと第２のＰＤ２ＤＳＳ  ＺＣインデックスは、異なることが可能である。
【００９７】
実例１〜７のうちの１つ又はいずれかの組み合わせの主題である実例８において、ＰＤ２ＤＳＳは、リソース要素（ＲＥ）のグループを含むチャネルリソースにおいて送信され得る。第１のＰＤ２ＤＳＳ  ＺＣシーケンスは、第１のＰＤ２ＤＳＳシーケンスのＦＴのために、所定のマッピングにより、ＲＥの少なくとも一部分にマッピングされ得る。第２のＰＤ２ＤＳＳ  ＺＣシーケンスは、第２のＰＤ２ＤＳＳシーケンスのＦＴのために、所定のマッピングにより、ＲＥにマッピングされ得る。
【００９８】
実例１〜８のうちの１つ又はいずれかの組み合わせの主題である実例９において、第１のＰＤ２ＤＳＳ  ＺＣインデックス及び第２のＰＤ２ＤＳＳ  ＺＣインデックスは、少なくとも４０ｋＨｚの周波数オフセット範囲における第１のＰＤ２ＤＳＳ  ＺＣシーケンス及び第２のＰＤ２ＤＳＳ  ＺＣシーケンスに関する不確定性関数に少なくとも部分的に基づいて、第１のＰＤ２ＤＳＳ  ＺＣシーケンス及び第２のＰＤ２ＤＳＳ  ＺＣシーケンスでの使用のために選択され得る。
【００９９】
実例１〜９のうちの１つ又はいずれかの組み合わせの主題である実例１０において、第１のＰＤ２ＤＳＳシンボルシーケンスは、第１のＰＤ２ＤＳＳ  Ｚａｄｏｆｆ−Ｃｈｕ（ＺＣ）インデックスに基づく第１のＰＤ２ＤＳＳ  ＺＣシーケンスを含み得る。第２のＰＤ２ＤＳＳシンボルシーケンスは、第１のＰＤ２ＤＳＳ  ＺＣシーケンスの複素共役に基づく第２のＰＤ２ＤＳＳ  ＺＣシーケンスを含み得る。
【０１００】
実例１〜１０のうちの１つ又はいずれかの組み合わせの主題である実例１１において、Ｄ２Ｄ通信セッションがカバレッジ内Ｄ２Ｄ通信セッションである場合、ＰＤ２ＤＳＳは、ネットワーク基準タイミングにより送信されることが可能であり、ＰＤ２ＤＳＳは、第１のＰＤ２ＤＳＳであることが可能である。Ｄ２Ｄ通信セッションがカバレッジ外Ｄ２Ｄ通信セッションである場合、ＰＤ２ＤＳＳは、ネットワーク基準タイミングと非同期に送信されることが可能であり、ＰＤ２ＤＳＳは、第２のＰＤ２ＤＳＳであることが可能である。ＰＤ２ＤＳＳは、ＰＤ２ＤＳＳが第１のＰＤ２ＤＳＳであるか、又は第２のＰＤ２ＤＳＳであるかの標識を含み得る。
【０１０１】
実例１〜１１のうちの１つ又はいずれかの組み合わせの主題である実例１２において、第１のＰＤ２ＤＳＳの第１の部分は、第１のＺａｄｏｆｆ−Ｃｈｕ（ＺＣ）シーケンスのフーリエ変換（ＦＴ）に基づくことが可能であり、第１のＰＤ２ＤＳＳの第２の部分は、第２のＺＣシーケンスのＦＴに基づくことが可能である。第２のＰＤ２ＤＳＳの第１の部分は、第１のＰＤ２ＤＳＳの第１の部分の複素共役を含み得る。第２のＰＤ２ＤＳＳの第２の部分は、第１のＰＤ２ＤＳＳの第２の部分の複素共役を含み得る。
【０１０２】
実例１〜１２のうちの１つ又はいずれかの組み合わせの主題である実例１３において、ＰＤ２ＤＳＳの送信は、第２のＵＥがＤ２Ｄ通信セッションに関するＤ２Ｄ周波数同期を判定することを可能にするように構成され得る。
【０１０３】
実例１〜１３のうちの１つ又はいずれかの組み合わせの主題である実例１４において、ハードウェア処理回路は、トランシーバ回路を、Ｄ２Ｄ通信セッションの一部分としてデータ信号を第２のＵＥに送信するよう更に設定することが可能である。
【０１０４】
実例１〜１４のうちの１つ又はいずれかの組み合わせの主題である実例１５において、ＵＥに対するネットワークカバレッジが利用できない場合、データ信号は、第２のＵＥに送信され得る。
【０１０５】
実例１〜１５のうちの１つ又はいずれかの組み合わせの主題である実例１６において、ＵＥ及びｅＮＢは、第３世代パートナーシッププロジェクト（３ＧＰＰ）ロングタームエボリューション（ＬＴＥ）プロトコルにより動作するように構成され得る。
【０１０６】
実例１〜１６のうちの１つ又はいずれかの組み合わせの主題である実例１７において、装置は、ＰＳＳを受信するため、及びＰＤ２ＤＳＳを送信するためにトランシーバ回路に結合された１つ又は複数のアンテナを更に含み得る。
【０１０７】
実例１８において、非一時的コンピュータ可読記憶媒体は、ユーザ機器（ＵＥ）による通信のための動作を実行する１つ又は複数のプロセッサによる実行のための命令を記憶することが可能である。それらの動作は、１つ又は複数のプロセッサを、第２のＵＥから、第２のＵＥとのデバイスツーデバイス（Ｄ２Ｄ）通信に関する第１デバイスツーデバイス同期信号（ＰＤ２ＤＳＳ）を受信するように設定することが可能である。それらの動作は、１つ又は複数のプロセッサを、第１のＰＤ２ＤＳＳ部分に関する第１の偏相関、及び第２のＰＤ２ＤＳＳ部分に関する第２の偏相関に基づいて、ＵＥと第２のＵＥとの間のＤ２Ｄ周波数オフセットを判定するように更に設定することが可能である。それらの動作は、１つ又は複数のプロセッサを、判定されたＤ２Ｄ周波数オフセットにより第２のＵＥにＤ２Ｄデータ信号を送信するように更に設定することが可能である。ＰＤ２ＤＳＳの受信、及びＤ２Ｄデータ信号の送信は、ＵＥ間のＤ２Ｄ通信のために予約されたＤ２Ｄチャネルリソースにおいて実行され得る。
【０１０８】
実例１８の主題である実例１９において、第１のＰＤ２ＤＳＳ部分は、第１のＰＤ２ＤＳＳ  Ｚａｄｏｆｆ−Ｃｈｕ（ＺＣ）シーケンスを含む第１のＰＤ２ＤＳＳシンボルシーケンスのフーリエ変換（ＦＴ）に基づくことが可能である。第２のＰＤ２ＤＳＳ部分は、第２のＰＤ２ＤＳＳ  Ｚａｄｏｆｆ−Ｃｈｕ（ＺＣ）シーケンスを含む第２のＰＤ２ＤＳＳシンボルシーケンスのＦＴに基づくことが可能である。
【０１０９】
実例１８〜１９のうちの１つ又はいずれかの組み合わせの主題である実例２０において、第２のＰＤ２ＤＳＳ  Ｚａｄｏｆｆ−Ｃｈｕ（ＺＣ）シーケンスは、第１のＰＤ２ＤＳＳ  Ｚａｄｏｆｆ−Ｃｈｕ（ＺＣ）シーケンスの複素共役に基づくことが可能である。
【０１１０】
実例１８〜２０のうちの１つ又はいずれかの組み合わせの主題である実例２１において、ＰＤ２ＤＳＳは、Ｄ２Ｄ通信のために予約されたＤ２Ｄリソース要素（ＲＥ）のグループを含むチャネルリソースにおいて受信され得る。第１のＰＤ２ＤＳＳ  ＺＣシーケンスは、第１のＰＤ２ＤＳＳシーケンスのＦＴのために、所定のマッピングにより、Ｄ２Ｄ  ＲＥの少なくとも一部分にマッピングされ得る。第２のＰＤ２ＤＳＳ  ＺＣシーケンスは、第２のＰＤ２ＤＳＳシーケンスのＦＴのために、所定のマッピングにより、Ｄ２Ｄ  ＲＥにマッピングされ得る。
【０１１１】
実例１８〜２１のうちの１つ又はいずれかの組み合わせの主題である実例２２において、第１のＺＣシーケンスは、ＰＤ２ＤＳＳの直交周波数分割多重化（ＯＦＤＭ）巡回プレフィックス時間間隔に対する第１の偏相関のタイミング許容差に少なくとも部分的に基づいて、第１のＰＤ２ＤＳＳ部分での使用のために選択されることが可能である。
【０１１２】
実例１８〜２２のうちの１つ又はいずれかの組み合わせの主題である実例２３において、第１の偏相関は、ＰＤ２ＤＳＳの受信に関するＤ２Ｄタイミングを判定するために使用され得る。第２の偏相関は、Ｄ２Ｄ周波数オフセットを判定するために使用され得る。
【０１１３】
実例１８〜２３のうちの１つ又はいずれかの組み合わせの主題である実例２４において、タイミング許容差は、ＵＥと第２のＵＥとの間の周波数オフセットの少なくとも４０ｋＨｚ範囲に関して判定されることが可能である。
【０１１４】
実例１８〜２４のうちの１つ又はいずれかの組み合わせの主題である実例２５において、動作は、１つ又は複数のプロセッサを、ネットワークにおいて動作するように構成された進化型ノードＢ（ｅＮＢ）から第１同期信号（ＰＳＳ）を受信するように更に設定することが可能である。動作は、１つ又は複数のプロセッサを、ＰＳＳの受信に基づいて、ｅＮＢとＵＥとの間のネットワーク内周波数オフセットを判定するように更に設定することが可能である。動作は、１つ又は複数のプロセッサを、判定されたネットワーク内周波数オフセットによりｅＮＢにネットワーク内データ信号を送信するように更に設定することが可能である。ＰＳＳの受信、及びネットワーク内データ信号の送信は、Ｄ２Ｄチャネルリソースに専用のネットワークチャネルリソースにおいて実行され得る。
【０１１５】
実例１８〜２５のうちの１つ又はいずれかの組み合わせの主題である実例２６において、第１のＰＤ２ＤＳＳ部分は、第１のＰＤ２ＤＳＳ  Ｚａｄｏｆｆ−Ｃｈｕ（ＺＣ）シーケンスに基づくことが可能であり、第２のＰＤ２ＤＳＳ部分は、第２のＰＤ２ＤＳＳ  ＺＣシーケンスに基づくことが可能である。ＰＳＳは、第３のＰＤ２ＤＳＳ  ＺＣシーケンスに基づく第１の部分及び第２の部分を含み得る。
【０１１６】
実例１８〜２６のうちの１つ又はいずれかの組み合わせの主題である実例２７において、Ｄ２Ｄチャネルリソースは、ネットワークによって、ＵＥ間のＤ２Ｄ通信のために予約されることが可能である。
【０１１７】
実例２８において、進化型ノードＢ（ｅＮＢ）のための装置は、トランシーバ回路と、ハードウェア処理回路とを備えることが可能である。ハードウェア処理回路は、トランシーバ回路を、１つ又は複数のユーザ機器（ＵＥ）によるネットワーク基準タイミングに対する同期を可能にする第１同期信号（ＰＳＳ）を送信するように設定することが可能である。ハードウェア処理回路は、トランシーバ回路を、ネットワーク基準タイミングによりＵＥのうちの１つにデータ信号を送信するように設定することが可能である。ＰＳＳは、第１のＰＳＳシンボルシーケンスのフーリエ変換（ＦＴ）に基づく第１のＰＳＳ部分を含むことが可能であり、第２のＰＳＳシンボルシーケンスのＦＴに基づく第２のＰＳＳ部分を更に含むことが可能である。第１のＰＳＳ部分と第２のＰＳＳ部分に関する伝送時間は、所定の時間差だけ分離され得る。
【０１１８】
実例２８の主題である実例２９において、第１のＰＳＳシンボルシーケンスは、第１のＰＳＳ  Ｚａｄｏｆｆ−Ｃｈｕ（ＺＣ）インデックスに基づく第１のＰＳＳ  ＺＣシーケンスを含み得る。第２のＰＳＳシンボルシーケンスは、第２のＰＳＳ  ＺＣインデックスに基づく第２のＰＳＳ  ＺＣシーケンスを含み得る。
【０１１９】
実例２８〜２９のうちの１つ又はいずれかの組み合わせの主題である実例３０において、第２のＰＳＳ  ＺＣシーケンスは、第１のＰＳＳ  ＺＣシーケンスの複素共役に基づくことが可能である。
【０１２０】
要約書が、読者が技術的開示の性質及び要旨を確かめることを可能にする要約書を要求する３７Ｃ．Ｆ．Ｒセクション１．７２（ｂ）を遵守して与えられる。要約書は、請求項の範囲若しくは趣旨を限定するためか、又は解釈するために使用されないという理解で提出される。添付の請求項は、詳細な説明に組み込まれ、各請求項は、それ自体で別個の実施例として成立する。
【図１】
2017535121.tif 000003
【図２】
2017535121.tif 000004
【図３】
2017535121.tif 000005
【図４】
2017535121.tif 000006
【図５】
2017535121.tif 000007
【図６】
2017535121.tif 000008
【図７】
2017535121.tif 000009
【図８】
2017535121.tif 000010
【国際調査報告】
2017535121.tif 000011
2017535121.tif 000012